(57)【要約】  本開示の一態様によれば、基地局は、同期信号の送信用に使用されるべき特定のリソースの選択に基づいてパラメータ情報をUEに伝達してもよく、その場合、選択されるリソースは、特定のパラメータ情報に対応する。UEは、様々な候補リソース上の同期信号を盲目的に検出し、同期信号が検出されるリソースに基づいてパラメータ情報を判定してもよい。装置は、基地局であってもよい。一態様では、基地局は、1つまたは複数のパラメータのパラメータ情報を判定する。基地局は、パラメータ情報に基づいて、1つまたは複数の同期信号の送信用に複数の候補リソースから同期リソースを選択し、この場合、選択された同期リソースはパラメータ情報に対応する。基地局は、選択された同期リソースを使用して1つまたは複数の同期信号を送信する。
2019517746.tif 000002
【特許請求の範囲】
【請求項１】
基地局によるワイヤレス通信の方法であって、
1つまたは複数のパラメータのパラメータ情報を判定するステップと、
前記パラメータ情報に基づいて、1つまたは複数の同期信号の送信用に複数の候補リソースから同期リソースを選択するステップであって、前記選択された同期リソースが前記パラメータ情報に対応する、ステップと、
前記選択された同期リソースを使用して前記1つまたは複数の同期信号を送信するステップとを含む方法。
【請求項２】
前記1つまたは複数のパラメータの前記パラメータ情報は、サイクリックプレフィックス(CP)持続時間パラメータ、ビーム基準信号(BRS)送信パラメータ、デュプレックス構成パラメータのうちの少なくとも1つの各々のパラメータ値を含む、請求項1に記載の方法。
【請求項３】
前記CP持続時間パラメータは、拡張CP(ECP)が使用されているかそれともノーマルCP(NCP)が使用されているかを示す、請求項2に記載の方法。
【請求項４】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項2に記載の方法。
【請求項５】
前記デュプレックス構成パラメータは、基地局が時分割複信(TDD)を利用しているかそれとも周波数分割複信(FDD)を利用しているかを示す、請求項2に記載の方法。
【請求項６】
前記複数の候補リソースから前記同期リソースを選択する前記ステップは、
前記同期リソース内の前記1つまたは複数の同期信号のうちの少なくとも2つの同期信号用のサブキャリアリソース間に位置するガードサブキャリアの数を選択するステップであって、前記ガードサブキャリアの数が前記パラメータ情報を示す、ステップを含み、
前記同期リソースは、前記ガードサブキャリアの数に基づいて選択される、請求項1に記載の方法。
【請求項７】
前記複数の候補リソースから前記同期リソースを選択する前記ステップは、
前記同期リソース内の前記1つまたは複数の同期信号のうちの少なくとも2つの同期信号の中心周波数間の距離を選択するステップを含み、
前記同期リソースは、前記中心周波数間の前記距離に基づいて選択される、請求項1に記載の方法。
【請求項８】
前記複数の候補リソースから前記同期リソースを選択する前記ステップは、
前記同期リソース内の前記1つまたは複数の同期信号のうちの少なくとも1つの同期信号用のサブキャリアリソースの位置を判定するステップであって、前記サブキャリアリソースの前記位置が前記パラメータ情報を示す、ステップを含み、
前記同期リソースは、前記サブキャリアリソースに基づいて選択される、請求項1に記載の方法。
【請求項９】
前記複数の候補リソースから前記同期リソースを選択する前記ステップは、
前記1つまたは複数の同期信号のうちの少なくとも2つの同期信号の順序を判定するステップであって、前記順序が前記パラメータ情報を示す、ステップを含み、
前記同期リソースは、前記1つまたは複数の同期信号のうちの前記少なくとも2つの同期信号の前記順序に基づいて選択される、請求項1に記載の方法。
【請求項１０】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項1に記載の方法。
【請求項１１】
前記1つまたは複数の同期信号は、1つまたは複数のミリメートル波(MMW)ビームを介して送信される、請求項1に記載の方法。
【請求項１２】
基地局によるワイヤレス通信の方法であって、
サイクリックプレフィックス(CP)持続時間パラメータを判定するステップと、
前記CP持続時間パラメータを物理ブロードキャストチャネル(PBCH)信号を介して送信するステップとを含む方法。
【請求項１３】
前記CP持続時間パラメータは、拡張CP(ECP)が使用されているかそれともノーマルCP(NCP)が使用されているかを示す、請求項12に記載の方法。
【請求項１４】
ユーザ機器(UE)によるワイヤレス通信の方法であって、
複数の候補リソースにおいて1つまたは複数の同期信号を検出するステップと、
前記複数の候補リソースにおいて前記1つまたは複数の同期信号が検出される同期リソースを判定するステップと、
前記判定された同期リソースに基づいて1つまたは複数のパラメータのパラメータ情報を判定するステップであって、前記判定された同期リソースが前記パラメータ情報に対応する、ステップとを含む方法。
【請求項１５】
前記1つまたは複数のパラメータの前記パラメータ情報は、サイクリックプレフィックス(CP)持続時間パラメータ、ビーム基準信号(BRS)送信パラメータ、デュプレックス構成パラメータのうちの少なくとも1つの各々のパラメータ値を含む、請求項14に記載の方法。
【請求項１６】
前記CP持続時間パラメータは、拡張CP(ECP)が使用されているかそれともノーマルCP(NCP)が使用されているかを示す、請求項15に記載の方法。
【請求項１７】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項15に記載の方法。
【請求項１８】
前記デュプレックス構成パラメータは、基地局が時分割複信(TDD)を利用しているかそれとも周波数分割複信(FDD)を利用しているかを示す、請求項15に記載の方法。
【請求項１９】
前記1つまたは複数のパラメータの前記パラメータ情報を判定するステップは、
前記同期リソース内の前記1つまたは複数の同期信号のうちの少なくとも2つの同期信号を送信するためのサブキャリアリソース間に位置するガードサブキャリアの数に基づいて前記パラメータ情報を判定するステップであって、前記ガードサブキャリアの数が前記パラメータ情報を示す、ステップを含む、請求項14に記載の方法。
【請求項２０】
前記1つまたは複数のパラメータの前記パラメータ情報を判定するステップは、
前記同期リソース内の前記1つまたは複数の同期信号のうちの少なくとも2つの同期信号の中心周波数間の距離に基づいて前記パラメータ情報を判定するステップを含む、請求項14に記載の方法。
【請求項２１】
前記1つまたは複数のパラメータの前記パラメータ情報を判定するステップは、
前記同期リソース内の前記1つまたは複数の同期信号のうちの少なくとも1つの同期信号用のサブキャリアリソースの位置に基づいて前記パラメータ情報を判定するステップであって、前記サブキャリアリソースの前記位置が前記パラメータ情報を示す、ステップを含む、請求項14に記載の方法。
【請求項２２】
前記1つまたは複数のパラメータの前記パラメータ情報を判定するステップは、
前記1つまたは複数の同期信号のうちの少なくとも2つの同期信号の順序に基づいて前記パラメータ情報を判定するステップであって、前記順序が前記パラメータ情報を示す、ステップを含む、請求項14に記載の方法。
【請求項２３】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項14に記載の方法。
【請求項２４】
前記1つまたは複数の同期信号は、1つまたは複数のミリメートル波(MMW)ビームを介して送信される、請求項14に記載の方法。
【請求項２５】
ユーザ機器(UE)によるワイヤレス通信の方法であって、
物理ブロードキャストストチャネル(PBCH)信号を受信するステップと、
前記PBCH信号に基づいてサイクリックプレフィックス(CP)持続時間パラメータを判定するステップとを含む方法。
【請求項２６】
前記CP持続時間パラメータは、拡張CP(ECP)が使用されているかそれともノーマルCP(NCP)が使用されているかを示す、請求項25に記載の方法。
【請求項２７】
ワイヤレス通信のための基地局であって、
1つまたは複数のパラメータのパラメータ情報を判定するための手段と、
前記パラメータ情報に基づいて、1つまたは複数の同期信号の送信用に複数の候補リソースから同期リソースを選択するための手段であって、前記選択された同期リソースが前記パラメータ情報に対応する手段と、
前記選択された同期リソースを使用して前記1つまたは複数の同期信号を送信するための手段とを備える基地局。
【請求項２８】
前記1つまたは複数のパラメータの前記パラメータ情報は、サイクリックプレフィックス(CP)持続時間パラメータ、ビーム基準信号(BRS)送信パラメータ、デュプレックス構成パラメータのうちの少なくとも1つの各々のパラメータ値を含む、請求項27に記載の基地局。
【請求項２９】
前記CP持続時間パラメータは、拡張CP(ECP)が使用されているかそれともノーマルCP(NCP)が使用されているかを示す、請求項28に記載の基地局。
【請求項３０】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項28に記載の基地局。
【請求項３１】
前記デュプレックス構成パラメータは、基地局が時分割複信(TDD)を利用しているかそれとも周波数分割複信(FDD)を利用しているかを示す、請求項28に記載の基地局。
【請求項３２】
前記複数の候補リソースから前記同期リソースを選択するための前記手段は、
前記同期リソース内の前記1つまたは複数の同期信号のうちの少なくとも2つの同期信号用のサブキャリアリソース間に位置するガードサブキャリアの数を選択することであって、前記ガードサブキャリアの数が前記パラメータ情報を示す、選択することを行うように構成され、
前記同期リソースは、前記ガードサブキャリアの数に基づいて選択される、請求項27に記載の基地局。
【請求項３３】
前記複数の候補リソースから前記同期リソースを選択するための前記手段は、
前記同期リソース内の前記1つまたは複数の同期信号のうちの少なくとも2つの同期信号の中心周波数間の距離を選択するように構成され、
前記同期リソースは、前記中心周波数間の前記距離に基づいて選択される、請求項27に記載の基地局。
【請求項３４】
前記複数の候補リソースから前記同期リソースを選択するための前記手段は、
前記同期リソース内の前記1つまたは複数の同期信号のうちの少なくとも1つの同期信号用のサブキャリアリソースの位置を判定することであって、前記サブキャリアリソースの前記位置が前記パラメータ情報を示す、判定することを行うように構成され、
前記同期リソースは、前記サブキャリアリソースに基づいて選択される、請求項27に記載の基地局。
【請求項３５】
前記複数の候補リソースから前記同期リソースを選択するための前記手段は、
前記1つまたは複数の同期信号のうちの少なくとも2つの同期信号の順序を判定することであって、前記順序が前記パラメータ情報を示す、判定することを行うように構成され、
前記同期リソースは、前記1つまたは複数の同期信号のうちの前記少なくとも2つの同期信号の前記順序に基づいて選択される、請求項27に記載の基地局。
【請求項３６】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項27に記載の基地局。
【請求項３７】
前記1つまたは複数の同期信号は、1つまたは複数のミリメートル波(MMW)ビームを介して送信される、請求項27に記載の基地局。
【請求項３８】
ワイヤレス通信のための基地局であって、
サイクリックプレフィックス(CP)持続時間パラメータを判定するための手段と、
前記CP持続時間パラメータを物理ブロードキャストチャネル(PBCH)信号を介して送信するための手段とを備える基地局。
【請求項３９】
前記CP持続時間パラメータは、拡張CP(ECP)が使用されているかそれともノーマルCP(NCP)が使用されているかを示す、請求項38に記載の基地局。
【請求項４０】
ワイヤレス通信のためのユーザ機器(UE)であって、
複数の候補リソースにおいて1つまたは複数の同期信号を検出するための手段と、
前記複数の候補リソースにおいて前記1つまたは複数の同期信号が検出される同期リソースを判定するための手段と、
前記判定された同期リソースに基づいて1つまたは複数のパラメータのパラメータ情報を判定するための手段であって、前記判定された同期リソースが前記パラメータ情報に対応する、手段とを備えるUE。
【請求項４１】
前記1つまたは複数のパラメータの前記パラメータ情報は、サイクリックプレフィックス(CP)持続時間パラメータ、ビーム基準信号(BRS)送信パラメータ、デュプレックス構成パラメータのうちの少なくとも1つの各々のパラメータ値を含む、請求項40に記載のUE。
【請求項４２】
前記CP持続時間パラメータは、拡張CP(ECP)が使用されているかそれともノーマルCP(NCP)が使用されているかを示す、請求項41に記載のUE。
【請求項４３】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項41に記載のUE。
【請求項４４】
前記デュプレックス構成パラメータは、基地局が時分割複信(TDD)を利用しているかそれとも周波数分割複信(FDD)を利用しているかを示す、請求項41に記載のUE。
【請求項４５】
前記1つまたは複数のパラメータの前記パラメータ情報を判定するための前記手段は、
前記同期リソース内の前記1つまたは複数の同期信号のうちの少なくとも2つの同期信号を送信するためのサブキャリアリソース間に位置するガードサブキャリアの数に基づいて前記パラメータ情報を判定することであって、前記ガードサブキャリアの数が前記パラメータ情報を示す、判定することを行うように構成される、請求項40に記載のUE。
【請求項４６】
前記1つまたは複数のパラメータの前記パラメータ情報を判定するための前記手段は、
前記同期リソース内の前記1つまたは複数の同期信号のうちの少なくとも2つの同期信号の中心周波数間の距離に基づいて前記パラメータ情報を判定するステップを含む、請求項40に記載のUE。
【請求項４７】
前記1つまたは複数のパラメータの前記パラメータ情報を判定するための前記手段は、
前記同期リソース内の前記1つまたは複数の同期信号のうちの少なくとも1つの同期信号用のサブキャリアリソースの位置に基づいて前記パラメータ情報を判定することであって、前記サブキャリアリソースの前記位置が前記パラメータ情報を示す、判定することを行うように構成される、請求項40に記載のUE。
【請求項４８】
前記1つまたは複数のパラメータの前記パラメータ情報を判定するための前記手段は、
前記1つまたは複数の同期信号のうちの少なくとも2つの同期信号の順序に基づいて前記パラメータ情報を判定することであって、前記順序が前記パラメータ情報を示す、判定することを行うように構成される、請求項40に記載のUE。
【請求項４９】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項40に記載のUE。
【請求項５０】
前記1つまたは複数の同期信号は、1つまたは複数のミリメートル波(MMW)ビームを介して送信される、請求項40に記載のUE。
【請求項５１】
ワイヤレス通信のためのユーザ機器(UE)であって、
物理ブロードキャストストチャネル(PBCH)信号を受信するための手段と、
前記PBCH信号に基づいてサイクリックプレフィックス(CP)持続時間パラメータを判定するための手段とを備えるUE。
【請求項５２】
前記CP持続時間パラメータは、拡張CP(ECP)が使用されているかそれともノーマルCP(NCP)が使用されているかを示す、請求項51に記載のUE。
【請求項５３】
ワイヤレス通信のための基地局であって、
メモリと、
前記メモリに結合された少なくとも1つのプロセッサとを備え、前記プロセッサが、
1つまたは複数のパラメータのパラメータ情報を判定することと、
前記パラメータ情報に基づいて、1つまたは複数の同期信号の送信用に複数の候補リソースから同期リソースを選択することであって、前記選択された同期リソースが前記パラメータ情報に対応する、選択することと、
前記選択された同期リソースを使用して前記1つまたは複数の同期信号を送信することとを行うように構成される基地局。
【請求項５４】
前記1つまたは複数のパラメータの前記パラメータ情報は、サイクリックプレフィックス(CP)持続時間パラメータ、ビーム基準信号(BRS)送信パラメータ、デュプレックス構成パラメータのうちの少なくとも1つの各々のパラメータ値を含む、請求項53に記載の基地局。
【請求項５５】
前記CP持続時間パラメータは、拡張CP(ECP)が使用されているかそれともノーマルCP(NCP)が使用されているかを示す、請求項54に記載の基地局。
【請求項５６】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項54に記載の基地局。
【請求項５７】
前記デュプレックス構成パラメータは、基地局が時分割複信(TDD)を利用しているかそれとも周波数分割複信(FDD)を利用しているかを示す、請求項54に記載の基地局。
【請求項５８】
前記複数の候補リソースから前記同期リソースを選択するように構成された前記少なくとも1つのプロセッサは、
前記同期リソース内の前記1つまたは複数の同期信号のうちの少なくとも2つの同期信号用のサブキャリアリソース間に位置するガードサブキャリアの数を選択することであって、前記ガードサブキャリアの数が前記パラメータ情報を示す、選択することを行うように構成され、
前記同期リソースは、前記ガードサブキャリアの数に基づいて選択される、請求項53に記載の基地局。
【請求項５９】
前記複数の候補リソースから前記同期リソースを選択するように構成された前記少なくとも1つのプロセッサは、
前記同期リソース内の前記1つまたは複数の同期信号のうちの少なくとも2つの同期信号の中心周波数間の距離を選択するように構成され、
前記同期リソースは、前記中心周波数間の前記距離に基づいて選択される、請求項53に記載の基地局。
【請求項６０】
前記複数の候補リソースから前記同期リソースを選択するように構成された前記少なくとも1つのプロセッサは、
前記同期リソース内の前記1つまたは複数の同期信号のうちの少なくとも1つの同期信号用のサブキャリアリソースの位置を判定することであって、前記サブキャリアリソースの前記位置が前記パラメータ情報を示す、判定することを行うように構成され、
前記同期リソースは、前記サブキャリアリソースに基づいて選択される、請求項53に記載の基地局。
【請求項６１】
前記複数の候補リソースから前記同期リソースを選択するように構成された前記少なくとも1つのプロセッサは、
前記1つまたは複数の同期信号のうちの少なくとも2つの同期信号の順序を判定することであって、前記順序が前記パラメータ情報を示す、判定することを行うように構成され、
前記同期リソースは、前記1つまたは複数の同期信号のうちの前記少なくとも2つの同期信号の前記順序に基づいて選択される、請求項53に記載の基地局。
【請求項６２】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項53に記載の基地局。
【請求項６３】
前記1つまたは複数の同期信号は、1つまたは複数のミリメートル波(MMW)ビームを介して送信される、請求項53に記載の基地局。
【請求項６４】
ワイヤレス通信のための基地局であって、
メモリと、
前記メモリに結合された少なくとも1つのプロセッサとを備え、前記プロセッサが、
サイクリックプレフィックス(CP)持続時間パラメータを判定することと、
前記CP持続時間パラメータを物理ブロードキャストチャネル(PBCH)信号を介して送信することとを行うように構成される基地局。
【請求項６５】
前記CP持続時間パラメータは、拡張CP(ECP)が使用されているかそれともノーマルCP(NCP)が使用されているかを示す、請求項64に記載の基地局。
【請求項６６】
ワイヤレス通信のためのユーザ機器(UE)であって、
メモリと、
前記メモリに結合された少なくとも1つのプロセッサとを備え、前記プロセッサが、
複数の候補リソースにおいて1つまたは複数の同期信号を検出することと、
前記複数の候補リソースにおいて前記1つまたは複数の同期信号が検出される同期リソースを判定することと、
前記判定された同期リソースに基づいて1つまたは複数のパラメータのパラメータ情報を判定することであって、前記判定された同期リソースが前記パラメータ情報に対応する、判定することとを行うように構成されるUE。
【請求項６７】
前記1つまたは複数のパラメータの前記パラメータ情報は、サイクリックプレフィックス(CP)持続時間パラメータ、ビーム基準信号(BRS)送信パラメータ、デュプレックス構成パラメータのうちの少なくとも1つの各々のパラメータ値を含む、請求項66に記載のUE。
【請求項６８】
前記CP持続時間パラメータは、拡張CP(ECP)が使用されているかそれともノーマルCP(NCP)が使用されているかを示す、請求項67に記載のUE。
【請求項６９】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項67に記載のUE。
【請求項７０】
前記デュプレックス構成パラメータは、基地局が時分割複信(TDD)を利用しているかそれとも周波数分割複信(FDD)を利用しているかを示す、請求項67に記載のUE。
【請求項７１】
前記1つまたは複数のパラメータの前記パラメータ情報を判定するように構成された前記少なくとも1つのプロセッサは、
前記同期リソース内の前記1つまたは複数の同期信号のうちの少なくとも2つの同期信号を送信するためのサブキャリアリソース間に位置するガードサブキャリアの数に基づいて前記パラメータ情報を判定することであって、前記ガードサブキャリアの数が前記パラメータ情報を示す、判定することを行うように構成される、請求項66に記載のUE。
【請求項７２】
前記1つまたは複数のパラメータの前記パラメータ情報を判定するように構成された前記少なくとも1つのプロセッサは、
前記同期リソース内の前記1つまたは複数の同期信号のうちの少なくとも2つの同期信号の中心周波数間の距離に基づいて前記パラメータ情報を判定することを行うように構成される、請求項66に記載のUE。
【請求項７３】
前記1つまたは複数のパラメータの前記パラメータ情報を判定するように構成された前記少なくとも1つのプロセッサは、
前記同期リソース内の前記1つまたは複数の同期信号のうちの少なくとも1つの同期信号用のサブキャリアリソースの位置に基づいて前記パラメータ情報を判定することであって、前記サブキャリアリソースの前記位置が前記パラメータ情報を示す、判定することを行うように構成される、請求項66に記載のUE。
【請求項７４】
前記1つまたは複数のパラメータの前記パラメータ情報を判定するように構成された前記少なくとも1つのプロセッサは、
前記1つまたは複数の同期信号のうちの少なくとも2つの同期信号の順序に基づいて前記パラメータ情報を判定することであって、前記順序が前記パラメータ情報を示す、判定することを行うように構成される、請求項66に記載のUE。
【請求項７５】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項66に記載のUE。
【請求項７６】
前記1つまたは複数の同期信号は、1つまたは複数のミリメートル波(MMW)ビームを介して送信される、請求項66に記載のUE。
【請求項７７】
ワイヤレス通信のためのユーザ機器(UE)であって、
メモリと、
前記メモリに結合された少なくとも1つのプロセッサとを備え、前記プロセッサが、
物理ブロードキャストストチャネル(PBCH)信号を受信することと、
前記PBCH信号に基づいてサイクリックプレフィックス(CP)持続時間パラメータを判定することとを行うように構成されるUE。
【請求項７８】
前記CP持続時間パラメータは、拡張CP(ECP)が使用されているかそれともノーマルCP(NCP)が使用されているかを示す、請求項77に記載のUE。
【請求項７９】
基地局用のコンピュータ実行可能コードを記憶するコンピュータ可読記憶媒体であって、
1つまたは複数のパラメータのパラメータ情報を判定することと、
前記パラメータ情報に基づいて、1つまたは複数の同期信号の送信用に複数の候補リソースから同期リソースを選択することであって、前記選択された同期リソースが前記パラメータ情報に対応する、選択することと、
前記選択された同期リソースを使用して前記1つまたは複数の同期信号を送信することとを行うためのコードを含むコンピュータ可読記憶媒体。
【請求項８０】
基地局用のコンピュータ実行可能コードを記憶するコンピュータ可読記憶媒体であって、
サイクリックプレフィックス(CP)持続時間パラメータを判定することと、
前記CP持続時間パラメータを物理ブロードキャストチャネル(PBCH)信号を介して送信することとを行うためのコードを含むコンピュータ可読記憶媒体。
【請求項８１】
ユーザ機器(UE)用のコンピュータ実行可能コードを記憶するコンピュータ可読記憶媒体であって、
複数の候補リソースにおいて1つまたは複数の同期信号を検出することと、
前記複数の候補リソースにおいて前記1つまたは複数の同期信号が検出される同期リソースを判定することと、
前記判定された同期リソースに基づいて1つまたは複数のパラメータのパラメータ情報を判定することであって、前記判定された同期リソースが前記パラメータ情報に対応する、判定することとを行うためのコードを含むコンピュータ可読記憶媒体。
【請求項８２】
ユーザ機器(UE)用のコンピュータ実行可能コードを記憶するコンピュータ可読記憶媒体であって、
物理ブロードキャストストチャネル(PBCH)信号を受信することと、
前記PBCH信号に基づいてサイクリックプレフィックス(CP)持続時間パラメータを判定することとを行うためのコードを含むコンピュータ可読記憶媒体。
【発明の詳細な説明】
【技術分野】
【０００１】
関連出願の相互参照
本出願は、2016年10月19日に出願された「CONVEYING HYPOTHESES THROUGH RESOURCE SELECTION OF SYNCHRONIZATION AND BROADCAST CHANNELS」という名称の米国仮出願第62/410,073号、2016年6月1日に出願された「TIME DIVISION MULTIPLEXING OF SYNCHRONIZATION CHANNELS」という名称の米国仮出願第62/344,381号、2016年6月14日に出願された「TIME DIVISION MULTIPLEXING OF SYNCHRONIZATION CHANNELS」という名称の米国仮出願第62/350,171号、2016年9月29日に出願された「TIME DIVISION MULTIPLEXING OF SYNCHRONIZATION CHANNELS」という名称の米国仮出願第62/401,801号、および2017年5月30日に出願された「CONVEYING HYPOTHESES THROUGH RESOURCE SELECTION OF SYNCHRONIZATION AND BROADCAST CHANNELS」という名称の米国特許出願第15/608,887号の利益を主張する。これらの出願は、参照によりその全体が本明細書に明確に組み込まれる。
【０００２】
本開示は概して、通信システムに関し、より詳細には、基地局によるパラメータのインジケーションに関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を採用する場合がある。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが含まれる。
【０００４】
これらの多元接続技術は、異なるワイヤレスデバイスが都市、国家、地域、さらには地球レベルで通信することを可能にする共通プロトコルを提供するために、様々な電気通信規格において採用されている。例示的な電気通信規格はロングタームエボリューション(LTE)である。LTEは、第3世代パートナーシッププロジェクト(3GPP)によって公表されたユニバーサルモバイルテレコミュニケーションズシステム(UMTS)モバイル規格に対する拡張のセットである。LTEは、ダウンリンク上でOFDMAを使用し、アップリンク上でSC-FDMAを使用し、多入力多出力(MIMO)アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増大し続けるにつれて、LTE技術におけるさらなる改善が必要である。これらの改善はまた、他の多元接続技術、およびこれらの技術を採用する電気通信規格に適用可能であってもよい。
【０００５】
基地局は、様々なタイプの情報をユーザ機器に送信することがある。たとえば、基地局は様々なパラメータに関する情報をユーザ機器に送信する場合がある。したがって、パラメータ情報をユーザ機器に伝達するために基地局によって使用される様々な手法が開発されている。
【発明の概要】
【課題を解決するための手段】
【０００６】
以下で、1つまたは複数の態様の基本的理解を可能にするために、そのような態様の簡略化された概要を提示する。この概要は、すべての考えられる態様の包括的な概説ではなく、すべての態様の主要または重要な要素を識別することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００７】
基地局は、様々なパラメータ(たとえば、システムパラメータ)に関する情報をUEに伝達してもよい。基地局は、パラメータごとのパラメータ情報(パラメータ値)を様々な手法に応じてUEに伝達してもよい。パラメータ情報をUEに伝達するための1つの手法は、同期信号の送信用に使用される特定のリソースの選択に基づいてもよく、選択されるリソースは、特定のパラメータ情報に対応する。UEは、基地局によって選択されたリソースにおいて同期信号を検出すること、およびUEが同期信号を検出するリソースに基づいてパラメータ情報を判定することによって特定のパラメータ情報を判定してもよい。
【０００８】
本開示の一態様では、方法、コンピュータ可読媒体、および装置が提供される。装置は基地局であってもよい。基地局は、1つまたは複数のパラメータのパラメータ情報を判定する。基地局は、パラメータ情報に基づいて、1つまたは複数の同期信号の送信用に複数の候補リソースから同期リソースを選択し、この場合、選択された同期リソースはパラメータ情報に対応する。基地局は、選択された同期リソースを使用して1つまたは複数の同期信号を送信する。
【０００９】
一態様では、装置は基地局であってもよい。基地局は、1つまたは複数のパラメータのパラメータ情報を判定するための手段を含んでもよい。基地局は、パラメータ情報に基づいて、1つまたは複数の同期信号の送信用に複数の候補リソースから同期リソースを選択するための手段であって、選択される同期リソースがパラメータ情報に対応する手段をさらに含んでもよい。基地局は、選択された同期リソースを使用して1つまたは複数の同期信号を送信するための手段をさらに含んでもよい。
【００１０】
一態様では、装置は、メモリと、メモリに結合された少なくとも1つのプロセッサとを含む基地局であってもよい。少なくとも1つのプロセッサは、1つまたは複数のパラメータのパラメータ情報を判定することと、パラメータ情報に基づいて、1つまたは複数の同期信号の送信用に複数の候補リソースから同期リソースを選択することであって、選択される同期リソースがパラメータ情報に対応する、選択することと、選択された同期リソースを使用して1つまたは複数の同期信号を送信することとを行うように構成されてもよい。
【００１１】
一態様では、基地局用のコンピュータ実行可能コードを記憶するコンピュータ可読媒体は、1つまたは複数のパラメータのパラメータ情報を判定することと、パラメータ情報に基づいて、1つまたは複数の同期信号の送信用に複数の候補リソースから同期リソースを選択することであって、選択される同期リソースがパラメータ情報に対応する、選択することと、選択された同期リソースを使用して1つまたは複数の同期信号を送信することとを行うためのコードを含んでもよい。
【００１２】
本開示の一態様では、方法、コンピュータ可読媒体、および装置が提供される。装置は基地局であってもよい。基地局は、CP持続時間パラメータを判定する。基地局は、CP持続時間パラメータをPBCH信号を介して送信する。
【００１３】
一態様では、装置は基地局であってもよい。基地局は、CP持続時間パラメータを判定するための手段を含んでもよい。基地局は、CP持続時間パラメータをPBCH信号を介して送信するための手段をさらに含んでもよい。
【００１４】
一態様では、装置は、メモリと、メモリに結合された少なくとも1つのプロセッサとを含む基地局であってもよい。少なくとも1つのプロセッサは、CP持続時間パラメータを判定することと、CP持続時間パラメータをPBCH信号を介して送信することとを行うように構成されてもよい。
【００１５】
一態様では、基地局用のコンピュータ実行可能コードを記憶するコンピュータ可読媒体は、CP持続時間パラメータを判定することと、CP持続時間パラメータをPBCH信号を介して送信することとを行うためのコードを含んでもよい。
【００１６】
本開示の一態様では、方法、コンピュータ可読媒体、および装置が提供される。この装置はUEであってもよい。UEは、複数の候補リソースにおいて1つまたは複数の同期信号を検出する。UEは、複数の候補リソースにおいて1つまたは複数の同期信号が検出される同期リソースを判定する。UEは、判定された同期リソースに基づいて1つまたは複数のパラメータのパラメータ情報を判定し、判定された同期リソースはパラメータ情報に対応する。
【００１７】
一態様では、装置はUEであってもよい。UEは、ための手段を含んでもよい。UEは、複数の候補リソースにおいて1つまたは複数の同期信号を検出するための手段をさらに含んでもよい。UEは、複数の候補リソースにおいて1つまたは複数の同期信号が検出される同期リソースを判定するための手段をさらに含んでもよい。UEは、判定された同期リソースに基づいて1つまたは複数のパラメータのパラメータ情報を判定するための手段であって、判定された同期リソースがパラメータ情報に対応する手段をさらに含んでもよい。
【００１８】
一態様では、装置は、メモリと、メモリに結合された少なくとも1つのプロセッサとを含むUEであってもよい。少なくとも1つのプロセッサは、複数の候補リソースにおいて1つまたは複数の同期信号を検出することと、複数の候補リソースにおいて1つまたは複数の同期信号が検出される同期リソースを判定することと、判定された同期リソースに基づいて1つまたは複数のパラメータのパラメータ情報を判定することであって、判定された同期リソースがパラメータ情報に対応する、判定することとを行うように構成されてもよい。
【００１９】
一態様では、UE用のコンピュータ実行可能コードを記憶するコンピュータ可読媒体は、複数の候補リソースにおいて1つまたは複数の同期信号を検出することと、複数の候補リソースにおいて1つまたは複数の同期信号が検出される同期リソースを判定することと、判定された同期リソースに基づいて1つまたは複数のパラメータのパラメータ情報を判定することであって、判定された同期リソースがパラメータ情報に対応する、判定することとを行うためのコードを含んでもよい。
【００２０】
本開示の一態様では、方法、コンピュータ可読媒体、および装置が提供される。装置は、UEであってもよい。UEは、PBCH信号を受信する。UEは、PBCH信号に基づいてCP持続時間パラメータを判定する。
【００２１】
一態様では、装置はUEであってもよい。UEはさらに、PBCH信号を受信するための手段を含んでもよい。UEは、PBCH信号に基づいてCP持続時間パラメータを判定するための手段をさらに含んでもよい。
【００２２】
一態様では、装置は、メモリと、メモリに結合された少なくとも1つのプロセッサとを含むUEであってもよい。少なくとも1つのプロセッサは、PBCH信号を受信することと、PBCH信号に基づいてCP持続時間パラメータを判定することとを行うように構成されてもよい。
【００２３】
一態様では、UE用のコンピュータ実行可能コードを記憶するコンピュータ可読媒体は、PBCH信号を受信することと、PBCH信号に基づいてCP持続時間パラメータを判定することとを行うためのコードを含んでもよい。
【００２４】
上記の目的および関連する目的を達成するために、1つまたは複数の態様は、以下で十分に説明し、特に特許請求の範囲において指摘する特徴を含む。以下の説明および添付の図面は、1つまたは複数の態様のうちのいくつかの例示的な特徴を詳細に示す。しかしながら、これらの特徴は、様々な態様の原理が採用される場合がある様々な方法のほんのいくつかを示すものであり、この説明は、すべてのそのような態様とそれらの均等物とを含むものである。
【図面の簡単な説明】
【００２５】
【図１】ワイヤレス通信システムおよびアクセスネットワークの一例を示す図である。
【図２Ａ】DLフレーム構造のLTEの例を示す図である。
【図２Ｂ】DLフレーム構造内のDLチャネルのLTEの例を示す図である。
【図２Ｃ】ULフレーム構造のLTEの例を示す図である。
【図２Ｄ】ULフレーム構造内のULチャネルのLTEの例を示す図である。
【図３】アクセスネットワーク内の発展型ノードB(eNB)およびユーザ機器(UE)の一例を示す図である。
【図４】無線フレーム上の同期チャネルを示す例示的な図である。
【図５Ａ】複数の方向に掃引する基地局を示す例示的な図である。
【図５Ｂ】図5Aの基地局に関するリソース使用状況を示す例示的な図である。
【図６】同期サブフレーム構造を示す例示的な図である。
【図７】本開示の一態様によるユーザ機器と基地局との間の通信を示す例示的な図である。
【図８Ａ】本開示の一態様によるガードサブキャリアおよび/またはリソース位置に基づくパラメータ情報のインジケーションを示す例示的な図である。
【図８Ｂ】本開示の一態様によるガードサブキャリアおよび/またはリソース位置に基づくパラメータ情報のインジケーションを示す例示的な図である。
【図９Ａ】本開示の一態様によるリソース位置に基づくパラメータ情報のインジケーションを示す例示的な図である。
【図９Ｂ】本開示の一態様によるリソース位置に基づくパラメータ情報のインジケーションを示す例示的な図である。
【図１０Ａ】本開示の一態様による特定の順序での同期信号の送信を示す例示的な図である。
【図１０Ｂ】本開示の一態様による特定の順序での同期信号の送信を示す例示的な図である。
【図１１Ａ】本開示の一態様による同期信号の送信を示す例示的な図である。
【図１１Ｂ】本開示の一態様による同期信号の送信を示す例示的な図である。
【図１１Ｃ】本開示の一態様による同期信号の送信を示す例示的な図である。
【図１２】ワイヤレス通信の方法のフローチャートである。
【図１３】ワイヤレス通信の方法のフローチャートである。
【図１４】例示的な装置中の異なる手段/構成要素間のデータフローを示す概念データフロー図である。
【図１５】処理システムを使用する装置のためのハードウェア実装形態の一例を示す図である。
【図１６】ワイヤレス通信の方法のフローチャートである。
【図１７】ワイヤレス通信の方法のフローチャートである。
【図１８】例示的な装置中の異なる手段/構成要素間のデータフローを示す概念データフロー図である。
【図１９】処理システムを使用する装置のためのハードウェア実装形態の一例を示す図である。
【発明を実施するための形態】
【００２６】
添付の図面と関連して以下に記載する発明を実施するための形態は、様々な構成について説明するものであり、本明細書で説明する概念が実践される場合がある唯一の構成を表すものではない。発明を実施するための形態は、様々な概念の完全な理解を与える目的で、具体的な詳細を含む。しかしながら、これらの概念がこれらの具体的な詳細なしに実践されてもよいことが、当業者には明らかであろう。場合によっては、そのような概念を不明瞭にすることを避けるために、よく知られている構造および構成要素がブロック図の形態で示される。
【００２７】
以下に、電気通信システムのいくつかの態様を、様々な装置および方法を参照しながら提示する。これらの装置および方法について、以下の発明を実施するための形態において説明し、(「要素」と総称される)様々なブロック、構成要素、回路、プロセス、アルゴリズムなどによって添付の図面に示す。これらの要素は、電子ハードウェア、コンピュータソフトウェア、またはそれらの任意の組合せを使用して実装されてもよい。そのような要素がハードウェアとして実装されるのか、それともソフトウェアとして実装されるのかは、特定の適用例および全体的なシステムに課された設計制約に依存する。
【００２８】
例として、要素、または要素の任意の部分、または要素の任意の組合せは、1つまたは複数のプロセッサを含む「処理システム」として実装される場合がある。プロセッサの例には、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって記載される様々な機能を実行するように構成された他の適切なハードウェアが含まれる。処理システム内の1つまたは複数のプロセッサは、ソフトウェアを実行してもよい。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００２９】
したがって、1つまたは複数の例示的な実施形態では、記載される機能は、ハードウェア、ソフトウェア、またはそれらの任意の組合せで実装される場合がある。ソフトウェアで実装される場合、機能は、コンピュータ可読媒体上に記憶されるか、またはコンピュータ可読媒体上に1つもしくは複数の命令もしくはコードとして符号化される場合がある。コンピュータ可読媒体は、コンピュータ記憶媒体を含む。記憶媒体は、コンピュータによってアクセス可能な任意の利用可能な媒体であってもよい。限定ではない例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備えることができる。
【００３０】
図1は、ワイヤレス通信システムおよびアクセスネットワーク100の一例を示す図である。(ワイヤレスワイドエリアネットワーク(WWAN)とも呼ばれる)ワイヤレス通信システムは、基地局102と、UE104と、発展型パケットコア(EPC)160とを含む。基地局102は、マクロセル(高電力セルラー基地局)および/またはスモールセル(低電力セルラー基地局)を含む場合がある。マクロセルはeNBを含む。スモールセルは、フェムトセルと、ピコセルと、マイクロセルとを含む。
【００３１】
(発展型ユニバーサルモバイルテレコミュニケーションズシステム(UMTS)地上波無線アクセスネットワーク(E-UTRAN)と総称される)基地局102は、バックホールリンク132(たとえば、S1インターフェース)を介してEPC160とインターフェースする。他の機能に加えて、基地局102は、以下の機能:ユーザデータの転送、無線チャネル暗号化および解読、完全性保護、ヘッダ圧縮、モビリティ制御機能（たとえば、ハンドオーバー、デュアル接続性）、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器トレース、RAN情報管理(RIM)、ページング、測位、ならびに警告メッセージの配信のうちの1つまたは複数を実施することができる。基地局102は、バックホールリンク134(たとえば、X2インターフェース)上で互いに直接的または(たとえば、EPC160を介して)間接的に通信することができる。バックホールリンク134は、有線またはワイヤレスであってもよい。
【００３２】
基地局102は、UE104とワイヤレスに通信することができる。基地局102の各々は、それぞれの地理的カバレージエリア110に通信カバレージを提供してもよい。重複する地理的カバレージエリア110が存在する場合がある。たとえば、スモールセル102'は、1つまたは複数のマクロ基地局102のカバレージエリア110と重複するカバレージエリア110'を有する場合がある。スモールセルとマクロセルの両方を含むネットワークは、異種ネットワークとして知られる場合がある。異種ネットワークは、限定加入者グループ(CSG)として知られる限定グループにサービスを提供してもよいホーム発展型ノードB(eNB)(HeNB)を含む場合もある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含む場合がある。通信リンク120は、空間多重化、ビームフォーミング、および/または送信ダイバーシティを含む、MIMOアンテナ技術を使用することができる。通信リンクは、1つまたは複数のキャリアを介する場合がある。基地局102/UE104は、各方向における送信用に使用される合計YxMHz(x個のコンポーネントキャリア)までのキャリアアグリゲーションにおいて割り振られた、キャリア当たりYMHz(たとえば、5、10、15、20MHz)までの帯域幅のスペクトルを使用してもよい。キャリアは、互いに隣接する場合も、隣接しない場合もある。キャリアの割振りは、DLおよびULに対して非対称であってもよい(たとえば、DLに対し、ULの場合よりも多いかまたは少ないキャリアが割り振られる場合がある)。コンポーネントキャリアは、1次コンポーネントキャリアと、1つまたは複数の2次コンポーネントキャリアとを含む場合がある。1次コンポーネントキャリアは1次セル(PCell)と呼ばれる場合があり、2次コンポーネントキャリアは2次セル(SCell)と呼ばれる場合がある。
【００３３】
ワイヤレス通信システムは、5GHz無認可周波数スペクトル内で通信リンク154を介してWi-Fi局(STA)152と通信しているWi-Fiアクセスポイント(AP)150をさらに含む場合がある。無認可周波数スペクトル内で通信するとき、STA152/AP150は、チャネルが利用可能であるかどうかを判定するために、通信するより前にクリアチャネルアセスメント(CCA)を実施することができる。
【００３４】
スモールセル102'は、認可および/または無認可の周波数スペクトル内で動作してもよい。無認可周波数スペクトル内で動作しているとき、スモールセル102'は、LTEを採用し、Wi-Fi AP150によって使用されるのと同じ5GHz無認可周波数スペクトルを使用してもよい。無認可周波数スペクトル内でLTEを採用するスモールセル102'は、アクセスネットワークへのカバレージをブーストしてもよく、および/またはアクセスネットワークの容量を増加させてもよい。無認可スペクトルにおけるLTEは、LTE無認可(LTE-U)、認可支援アクセス(LAA)、またはMuLTEfireと呼ばれる場合がある。
【００３５】
ミリメートル波(mmW)基地局180は、UE182と通信するときにmmW周波数および/または準mmW周波数(near mmW frequency)で動作する場合がある。極高周波数(EHF:extremely high frequency)は、電磁スペクトル内のRFの一部である。EHFは、30GHz〜300GHzの範囲および1ミリメートルから10ミリメートルの間の波長を有する。この帯域における電波は、ミリメートル波と呼ばれる場合がある。準mmWは、100ミリメートルの波長を有し、3GHzの周波数まで及ぶ場合がある。超高周波数(SHF:super high frequency)帯域は、センチメートル波とも呼ばれ、3GHzから30GHzの間に及ぶ。mmW/準mmW無線周波数帯域を使用する通信は、極めて高い経路損失および短距離を有する。mmW基地局180は、極めて高い経路損失および短距離を補償するためにUE182に対してビームフォーミング184を利用してもよい。
【００３６】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンタ(BM-SC)170と、パケットデータネットワーク(PDN)ゲートウェイ172とを含む場合がある。MME162は、ホーム加入者サーバ(HSS)174と通信している場合がある。MME162は、UE104とEPC160との間のシグナリングを処理する制御ノードである。概して、MME162はベアラと接続管理とを提供する。すべてのユーザインターネットプロトコル(IP)パケットは、サービングゲートウェイ166を介して転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス(PSS)、および/または他のIPサービスを含む場合がある。BM-SC170は、MBMSユーザサービスのプロビジョニングおよび配信のための機能を提供することができる。BM-SC170は、コンテンツプロバイダMBMS送信のためのエントリポイントとして働く場合があり、公的地域モバイルネットワーク(PLMN)内のMBMSベアラサービスを認可および開始するために使用される場合があり、MBMS送信をスケジュールするために使用される場合がある。MBMSゲートウェイ168は、特定のサービスをブロードキャストするマルチキャストブロードキャスト単一周波数ネットワーク(MBSFN)エリアに属する基地局102にMBMSトラフィックを配信するために使用される場合があり、セッション管理(開始/停止)およびeMBMS関係の課金情報を収集することに関与する場合がある。
【００３７】
基地局は、ノードB、発展型ノードB(eNB)、アクセスポイント、トランシーバ基地局、無線基地局、無線トランシーバ、トランシーバ機能、基本サービスセット(BSS)、拡張サービスセット(ESS)、または他の何らかの適切な用語で呼ばれる場合もある。基地局102は、UE104にEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、または任意の他の同様の機能デバイスが含まれる。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。
【００３８】
再び図1を参照すると、いくつかの態様では、eNB102は、特定のパラメータ値に基づいて信号の送信用のリソースを選択し、選択されたリソースを使用して信号を送信するように構成されてもよく、UE104は、候補リソース間において信号を検出し、信号が検出されたリソースに基づいて特定のパラメータ値を判定するように構成されてもよい(198)。
【００３９】
図2Aは、LTEにおけるDLフレーム構造の一例を示す図200である。図2Bは、LTEにおけるDLフレーム構造内のチャネルの一例を示す図230である。図2Cは、LTEにおけるULフレーム構造の一例を示す図250である。図2Dは、LTEにおけるULフレーム構造内のチャネルの一例を示す図280である。他のワイヤレス通信技術は、異なるフレーム構造および/または異なるチャネルを有する場合がある。LTEでは、フレーム(10ms)は、10個の等しいサイズのサブフレームに分割される場合がある。各サブフレームは、2つの連続するタイムスロットを含む場合がある。2つのタイムスロットを表すためにリソースグリッドが使用される場合があり、各タイムスロットは、1つまたは複数の(物理RB(PRB)とも呼ばれる)時間同時の(time concurrent)リソースブロック(RB)を含む。リソースグリッドは、複数のリソース要素(RE)に分割される。LTEでは、ノーマルサイクリックプレフィックスの場合、RBは、合計84個のREについて、周波数領域内に12個の連続するサブキャリアを含んでおり、時間領域内に7つの連続するシンボル(DLの場合、OFDMシンボル、ULの場合、SC-FDMAシンボル)を含んでいる。拡張サイクリックプレフィックスの場合、RBは、合計72個のREについて、周波数領域内に12個の連続するサブキャリアを含んでおり、時間領域内に6個の連続するシンボルを含んでいる。各REによって搬送されるビット数は、変調方式に依存する。
【００４０】
図2Aに示されるように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含む場合がある。図2Aは、(それぞれ、R0、R1、R2、およびR3として示された)アンテナポート0、1、2、および3のためのCRSと、(R5として示された)アンテナポート5のためのUE-RSと、(Rとして示された)アンテナポート15のためのCSI-RSとを示す。図2Bは、フレームのDLサブフレーム内の様々なチャネルの一例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボル内に4つの連続するREを含む。UEは、DCIも搬送するUE固有拡張PDCCH(ePDCCH)で構成される場合がある。ePDCCHは、2つ、4つ、または8つのRBペアを有する場合がある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定ACK(NACK)フィードバックを示すHARQインジケータ(HI)を搬送する。1次同期チャネル(PSCH)は、フレームのサブフレーム0および5内のスロット0のシンボル6内にあり、サブフレームタイミングと物理レイヤ識別情報とを判定するためにUEによって使用される1次同期信号(PSS)を搬送する。2次同期チャネル(SSCH)は、フレームのサブフレーム0および5内のスロット0のシンボル5内にあり、物理レイヤセル識別情報グループ番号を
判定するためにUEによって使用される2次同期信号(SSS)を搬送する。物理レイヤ識別情報および物理レイヤセル識別情報グループ番号に基づいて、UEは物理セル識別子(PCI)を判定することができる。PCIに基づいて、UEは上述のDL-RSの位置を判定することができる。物理ブロードキャストチャネル(PBCH)は、フレームのサブフレーム0のスロット1のシンボル0、1、2、3内にあり、マスタ情報ブロック(MIB)を搬送する。MIBは、DLシステム帯域幅内のRBの数と、PHICH構成と、システムフレーム番号(SFN)とを提供する。物理ダウンリンク共有チャネル(PDSCH)は、ユーザデータと、システム情報ブロック(SIB)などのPBCHを介して送信されないブロードキャストシステム情報と、ページングメッセージとを搬送する。
【００４１】
図2Cに示されるように、REのうちのいくつかは、eNBにおけるチャネル推定のための復調基準信号(DM-RS)を搬送する。UEは、サブフレームの最終シンボル内でサウンディング基準信号(SRS)をさらに送信する場合がある。SRSはコーム構造(comb structure)を有する場合があり、UEは、コームのうちの1つの上でSRSを送信する場合がある。SRSは、eNBによって、UL上での周波数依存スケジューリングを可能にするために、チャネル品質推定のために使用され得る。図2Dは、フレームのULサブフレーム内の様々なチャネルの一例を示す。物理ランダムアクセスチャネル(PRACH)は、PRACH構成に基づいてフレーム内の1つまたは複数のサブフレーム内にあってもよい。PRACHは、サブフレーム内に6つの連続するRBペアを含む場合がある。PRACHにより、UEが初期システムアクセスを実行し、UL同期を実現することが可能になる。物理アップリンク制御チャネル(PUCCH)は、ULシステム帯域幅のエッジ上に位置する場合がある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、パワーヘッドルーム報告(PHR)、および/またはUCIを搬送するためにさらに使用される場合がある。
【００４２】
図3は、アクセスネットワーク内でeNB310がUE350と通信しているブロック図である。DLでは、EPC160からのIPパケットがコントローラ/プロセッサ375に供給される場合がある。コントローラ/プロセッサ375は、レイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能と、ヘッダ圧縮/解凍、セキュリティ(暗号化、解読、完全性保護、完全性検証)、およびハンドオーバーサポート機能に関連するPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先度付けに関連するMACレイヤ機能とを提供する。
【００４３】
送信(TX)プロセッサ316および受信(RX)プロセッサ370は、様々な信号処理機能に関連するレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含む場合がある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割される場合がある。各ストリームは、次いで、時間領域OFDMシンボルストリームを搬送する物理チャネルを生成するために、OFDMサブキャリアにマッピングされ、時間領域および/または周波数領域内で基準信号(たとえば、パイロット)と多重化され、次いで、逆高速フーリエ変換(IFFT)を使用して一緒に合成される場合がある。OFDMストリームは、複数の空間ストリームを生成するために空間的にプリコーディングされる。チャネル推定器374からのチャネル推定値は、コーディングおよび変調方式を判定するために、ならびに空間処理のために使用される場合がある。チャネル推定値は、UE350によって送信された基準信号および/またはチャネル状態フィードバックから導出される場合がある。各空間ストリームは、次いで、別個のトランスミッタ318TXを介して異なるアンテナ320に提供される場合がある。各トランスミッタ318TXは、送信用にそれぞれの空間ストリームでRFキャリアを変調してもよい。
【００４４】
UE350において、各レシーバ354RXは、レシーバのそれぞれのアンテナ352を通して信号を受信する。各レシーバ354RXは、RFキャリア上に変調された情報を復元し、その情報を受信(RX)プロセッサ356に供給する。TXプロセッサ368およびRXプロセッサ356は、様々な信号処理機能に関連するレイヤ1機能を実装する。RXプロセッサ356は、UE350に宛てられた任意の空間ストリームを復元するために、情報に対して空間処理を実施することができる。複数の空間ストリームがUE350に宛てられた場合、複数の空間ストリームは、RXプロセッサ356によって単一のOFDMシンボルストリームに合成される場合がある。次いで、RXプロセッサ356は、高速フーリエ変換(FFT)を使用して、OFDMAシンボルストリームを時間領域から周波数領域に変換する。周波数領域信号は、OFDM信号のサブキャリアごとに別々のOFDMシンボルストリームを備える。各サブキャリア上のシンボルおよび基準信号は、eNB310によって送信される、可能性が最も高い信号のコンスタレーションポイントを判定することによって復元および復調される。これらの軟決定は、チャネル推定器358によって算出されたチャネル推定値に基づく場合がある。軟判定は、次いで、物理チャネル上でeNB310によって最初に送信されたデータと制御信号とを復元するために、復号およびデインターリーブされる。データおよび制御信号は、次いで、レイヤ3およびレイヤ2の機能を実装するコントローラ/プロセッサ359に提供される。
【００４５】
コントローラ/プロセッサ359は、プログラムコードとデータとを記憶するメモリ360に関連付けることができる。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ359はまた、HARQ動作をサポートするために、ACKおよび/またはNACKプロトコルを使用する誤り検出に関与する。
【００４６】
eNB310によるDL送信に関して記載された機能と同様に、コントローラ/プロセッサ359は、システム情報(たとえば、MIB、SIB)収集、RRC接続、および測定報告に関連するRRCレイヤ機能と、ヘッダ圧縮/解凍およびセキュリティ(暗号化、解読、完全性保護、完全性検証)に関連するPDCPレイヤ機能と、上位レイヤPDUの転送、ARQを介した誤り訂正、RLC SDUの連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、TB上へのMAC SDUの多重化、TBからのMAC SDUの逆多重化、スケジューリング情報報告、HARQを介した誤り訂正、優先度処理、および論理チャネル優先度付けに関連するMACレイヤ機能とを提供する。
【００４７】
eNB310によって送信された基準信号またはフィードバックから、チャネル推定器358によって導出されたチャネル推定値は、適切なコーディングおよび変調方式を選択するために、ならびに空間処理を容易にするために、TXプロセッサ368によって使用されてもよい。TXプロセッサ368によって生成された空間ストリームは、別個のトランスミッタ354TXを介して異なるアンテナ352に提供される場合がある。各トランスミッタ354TXは、送信用にそれぞれの空間ストリームでRFキャリアを変調してもよい。
【００４８】
UL送信は、UE350におけるレシーバ機能に関して記載された方式と同様の方式で、eNB310において処理される。各レシーバ318RXは、レシーバのそれぞれのアンテナ320を介して信号を受信する。各レシーバ318RXは、RFキャリア上に変調された情報を復元し、その情報をRXプロセッサ370に提供する。
【００４９】
コントローラ/プロセッサ375は、プログラムコードとデータとを記憶するメモリ376に関連付けることができる。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ375からのIPパケットは、EPC160に供給される場合がある。コントローラ/プロセッサ375はまた、ACKおよび/またはNACKプロトコルを使用してHARQ動作をサポートする誤り検出に関与する。
【００５０】
LTEにおける同期シグナリングは、たとえば、無線フレームの間に2度生じて複数のサブキャリア上で送信される場合がある。図4は、無線フレームにわたって拡散される同期チャネルを示す例示的な図400である。図4に示すように、同期シグナリング用の同期チャネルは、5サブフレームごとに割り振られ、6つのサブキャリアにわたって拡散される場合がある。1次同期信号(PSS)、2次同期信号(SSS)、および物理ブロードキャストチャネル(PBCH)信号などの同期信号が、同期チャネルを搬送するサブフレームにおいて送信されることがある。
【００５１】
基地局は、ビームフォーミングを使用して信号を特定の方向に送信する場合がある。たとえば、高キャリア周波数(たとえば、28GHz)を利用するmmWシステムでは、経路損失が大きくなる場合があり、さらなる見通し外損失(たとえば、回折、反射、吸収など)が存在することがある。たとえば、mmW通信用のキャリア周波数は、他の種類のワイヤレス通信用のキャリア周波数よりも10倍高い場合がある。そのような例では、mmW通信では、より低い周波数で他の種類のワイヤレス通信を行う場合よりも約20dB高い経路損失が生じる場合がある。基地局は、mmWシステムにおける経路損失および/またはさらなる見通し外損失を軽減するために、送信を指向的に実行することがあり、その場合、送信は、ビームの送信をそれぞれに異なる方向に向けるようにビームフォーミングされる。
【００５２】
ワイヤレス通信用のキャリア周波数が高い場合、波長は短く、したがって、より低いキャリア周波数が使用されるときに実装できるよりも多くのアンテナを所与のアンテナアレイ長内に実装することが可能になる場合がある。したがって、(高いキャリア周波数を使用する)mmWシステムでは、基地局および/またはUEにおいてより多い数のアンテナが使用されることがある。たとえば、BSは、128個または256個のアンテナを有してもよく、UEは8個、16個、または24個のアンテナを有することがある。アンテナの数が多い場合、ビームフォーミング技法を使用して、様々なアンテナにそれぞれの異なる位相を適用することによってビームの方向をデジタルに変更することがある。mmWシステムにおけるビームフォーミングでは、ゲインを増大させる幅の狭いビームが得られるので、基地局は、様々な方向のビームフォーミングによって異なる方向に幅の狭いビームを送信する場合がある。したがって、基地局はまた、ビームフォーミングを掃引式に使用して同期信号をそれぞれに異なる方向に送信すべきである。
【００５３】
基地局に複数のアンテナポート(アンテナの複数のセット)がある場合、基地局はシンボル当たりに複数のビームを送信することがある。たとえば、基地局は、セル固有の仕方で複数のアンテナポートを使用して複数の方向に掃引する場合がある。各アンテナポートは、アンテナのセットを含む。たとえば、アンテナのセット(たとえば、64個のアンテナ)を含むアンテナポートが、あるビームをある方向に送信してもよく、別のアンテナのセットを含む別のアンテナポートが別のビームを別の方向に送信することがある。したがって、複数のアンテナポートが複数のビームを各々異なる方向に送信する場合がある。図5Aは、複数の方向に掃引する基地局を示す例示的な図500である。図5の基地局502は、14個のアンテナポートを有し、したがって、14個のビーム(ビーム1〜ビーム14)を14の異なる方向に送信する(14の異なる方向に掃引する)ことができる。図5Bは、図5Aの基地局に関するリソース使用状況を示す例示的な図550である。図5Bに示すように、それぞれ14個の異なるリソース(たとえば、14個の異なるシンボル)を使用してPSSなどの同期信号を14個の異なるビームを介して14の方向に送信する場合がある。UEは、UEの位置に対応する1つの方向において同期信号を受信することがある。したがって、同期信号をデータ信号と周波数分割多重化することはできない。一方、PSS、SSS、拡張同期信号(ESS)、PBCH信号、ビーム基準信号(BRS)などの様々な同期信号同士が(たとえば、基地局によって)周波数分割多重化されてもよく、各シンボル内でビームフォーミングの異なる方向の各々に送信されることがある。たとえば、方向ごとに、同期信号が周波数分割多重化される場合もあるが、ある方向における同期信号が別の方向における同期信号と周波数分割多重化されないこともある。
【００５４】
図6は、同期サブフレーム構造を示す例示的な図600である。例示的な図600内の同期サブフレーム構造は、ミリメートル波通信システム用の構造である。同期サブフレームは、シンボル0からシンボル13までの14個のシンボルに分割される場合がある。各シンボル内で100個のサブキャリアが通信に使用されてもよく、この場合、BRSおよびPBCHを伝達するために最初の41個のRBが使用され、SSS、PSS、およびESSを伝達するために次の18個のRBが使用され、BRSおよびPBCHを伝達するために次の41個のRBが使用される。
【００５５】
基地局(たとえば、LTE基地局)は、様々なパラメータを判定し、および/またはUEに伝達することがある。たとえば、基地局はデュプレックス構成をUEに伝達してもよく、この場合、デュプレックス構成は、基地局によってサービスされているセルがTDDモードで動作しているかそれともFDDモードで動作しているかを示す。たとえば、基地局は、PSS送信とSSS送信との間のタイムギャップ(いくつかのOFDMシンボル)における送信を介してデュプレックス構成を伝達することがある。具体的には、FDDモードでは、PSS送信およびSSS送信が互いに隣接するOFDMシンボルにおいて行われる。TDDモードでは、PSS送信に使用されるOFDMシンボルとSSS送信に使用されるOFDMシンボルとの間にギャップが存在する場合がある。UEは、まずPSSを検出し、続いてFDDモードにおけるSSS送信およびTDDモードにおけるSSS送信を探索することによってSSSを探索することがある。UEは、PSS送信に隣接するSSS送信を検出した場合、セルはFDDモードで動作していると判定する。UEは、SSS送信がPSS送信から離間されていることを検出した場合、セルはTDDモードで動作していると判定する。しかし、デュプレックス構成を示すためのそのような手法は、特に複数の方向における信号のビーム掃引を実行するシステムでは非効率的である場合がある。この非効率性は、複数の方向へのビーム掃引によってレイテンシが長くなること、および場合によっては、PSS送信とSSS送信との間にすべてのOFDMシンボルを利用することができなくなることに起因する場合がある。さらに、PSSとSSSは、PSS送信とSSS送信との間のタイムギャップなしにFDMのように同時に送信される場合がある。したがって、1つまたは複数のパラメータ(たとえば、システムパラメータ)に関する情報を伝達するための効率的な手法が望ましいことがある。
【００５６】
本開示の一態様によれば、パラメータ情報に対応する特定の方法でリソースを選択することによって、情報を伝達するため(たとえば、少なくとも1つのシステムパラメータのパラメータ情報を伝達するため)の特定の方式が実行されてもよく、この場合、パラメータ情報は、1つまたは複数のシステムパラメータに関するパラメータ値を含む。たとえば、信号(たとえば、同期信号)および/またはリソース量を送信するために基地局によって使用される特定のリソース位置が、特定のパラメータ値に対応してもよい。基地局は、信号の送信用の複数の候補リソースから信号の送信用の1つまたは複数のリソースを選択してもよい。したがって、基地局は、候補リソースから選択された1つまたは複数のリソースを使用して信号を送信する。信号の送信用に選択されるリソースは、1つまたは複数のパラメータに関する特定のパラメータ情報(特定のパラメータ値)に対応し、したがって、基地局によるリソース選択は、UEに伝達すべきパラメータ情報に基づく。一態様では、基地局は、選択されたリソースを使用して信号を送信する際、1つまたは複数のmmWビームを使用して信号を送信してもよく、(たとえば、上記で説明したように14個のビーム(ビーム1〜ビーム14)を14の異なる方向に送信することによって)信号をビーム掃引式に送信してもよい。UEは、基地局から送信された信号を受信する際に、候補リソース上の信号を(たとえば、ブラインド復号によって)検出してもよい。UEは、信号を検出する際に、UEが信号を検出した特定のリソースを判定してもよい。UEは、UEが信号を検出した特定のリソースに基づいて、UEが信号を検出した特定のリソースに対応するパラメータ情報を判定してもよい。信号を送信するために基地局によって選択されたリソースは特定のパラメータに関する特定のパラメータ値に対応するので、UEは、UEが信号を検出したリソースに基づいて特定のパラメータのパラメータ値を判定してもよい。この信号は、PSS、SSS、ESS、BRS、およびPBCH信号などの少なくとも1つの同期信号を含んでもよい。
【００５７】
値がパラメータ情報において伝達される場合がある1つまたは複数のパラメータは、サイクリックプレフィックス(CP)持続時間パラメータ、BRS送信パラメータ、およびデュプレックス構成パラメータのうちの1つまたは複数を含んでもよい。BRS送信パラメータは、BRS送信がトリガされているかどうかを示してもよい。したがって、たとえば、基地局が同期信号を送信するためのリソースを選択する際、第1の位置における第1のリソースを選択することは、BRS送信がトリガされていることを示してもよく、一方、第2の位置における第2のリソースを選択することは、BRS送信がトリガされていないことを示してもよい。BRS送信パラメータは、どのBRS構成がBRS送信に使用されるかを示してもよい。たとえば、BRS構成は構成1または構成2のいずれであってもよく、BRS送信パラメータは、構成1または構成2のいずれかを示してもよい。したがって、たとえば、基地局が同期信号を送信するためのリソースを選択する際、第3の位置における第3のリソースを選択することは、構成1がBRS送信に使用されることを示してもよく、一方、第4の位置における第4のリソースを選択することは、構成2がBRS送信に使用されることを示してもよい。BRS構成は、BRS送信用のリソース(たとえば、時間および周波数におけるリソース)に対応してもよい。たとえば、構成1は、BRS送信用のリソースのあるセットに対応してもよく、構成2は、BRS送信用のリソースの別のセットに対応してもよい。したがって、そのような例では、同期信号を送信するために使用されるリソースの特定の位置が特定のBRS送信パラメータ値を示すことができるので、UEは、同期信号用のリソースの特定の位置に基づいて特定のBRS送信パラメータ値(たとえば、BRS構成)を判定してもよい。
【００５８】
デュプレックス構成パラメータは、基地局によってサービスされているセルがTDDモードで動作しているかそれともFDDモードで動作しているかを示してもよい。したがって、第1の位置における第1のリソースを選択することは、TDDモードが使用されていることを示してもよく、第2の位置における第2のリソースを選択することは、FDDモードが使用されていることを示してもよい。したがって、そのような例では、同期信号を送信するために使用されるリソースの特定の位置が特定のデュプレックス構成パラメータ値を示すことができるので、UEは、同期信号用のリソースの特定の位置に基づいて特定のデュプレックス構成パラメータ値(たとえば、TDDモードまたはFDDモード)を判定してもよい。
【００５９】
CP持続時間パラメータは、CP持続時間(たとえば、CPサイズ)を示してもよい。基地局を含むシステムは、拡張CP(ECP)またはノーマルCP(NCP)のいずれかを利用してもよい。したがって、CP持続時間パラメータは、ECPまたはNCPのいずれかを示してもよく、ECP持続時間(たとえば、10マイクロ秒)はNCP持続時間(たとえば、6マイクロ秒)よりも長くてもよい。したがって、たとえば、基地局が同期信号を送信するためのリソースを選択する際、第1の位置における第1のリソースを選択することは、ECPが使用されていることを示してもよく、第2の位置における第2のリソースを選択することは、NCPが使用されていることを示してもよい。したがって、そのような例では、同期信号を送信するために使用されるリソースの特定の位置が特定のCP持続時間パラメータ値を示すことができるので、UEは、同期信号用のリソースの特定の位置に基づいてCP持続時間パラメータ値(たとえば、ECPまたはNCP)を判定してもよい。
【００６０】
別の態様では、基地局は、PBCH信号をUEに送るときに、CP持続時間パラメータを判定してもよく、UEに送信されるPBCH信号においてCP持続時間パラメータを示してもよい。たとえば、PBCH信号における1つのビットは、システムがECPを利用しているかそれともNCPを利用しているかを示すために使用されてもよい。そのような態様では、UEは、PBCH信号を受信したときに、PBCH信号における情報に基づいて(たとえば、上記の1つのビットに基づいて)CP持続時間パラメータを判定してもよい。たとえば、PBCH信号における1のビット値は、システムがECPを利用していることを示してもよく、PBCH信号における0のビット値は、システムがNCPを利用していることを示してもよい。
【００６１】
図7は、本開示の一態様によるユーザ機器と基地局との間の通信を示す例示的な図700である。例示的な図700は、UE702と基地局704との間の通信を含む。712において、基地局704は、1つまたは複数のパラメータのパラメータ情報(パラメータ値)を判定する。714において、基地局704は、伝達されるパラメータ情報に基づいて1つまたは複数の同期信号の送信用に候補リソースからリソース(たとえば、サブキャリアリソース)を選択する。上述のように、基地局704は、パラメータ情報における特定のパラメータ値に対応する特定のリソースを選択する。たとえば、パラメータが3つの値を有することができる場合、基地局704は、伝達すべきパラメータの値に基づいて3つの異なるリソース位置のうちの1つを選択してもよい。伝達すべき第2のパラメータが2つの値を有することができる場合、基地局704は、伝達すべき第2のパラメータの値に基づいて第2のパラメータに関連する2つのリソース位置のうちの1つを選択してもよい。716において、基地局704は、選択されたリソースを使用して同期信号を送信してもよい。722において、UE702は、候補リソースにおいて同期信号を盲目的に探索して同期信号を検出する。724において、UEは、盲目的探索に基づいて、同期信号が候補リソース(たとえば、候補サブキャリアリソース)内に検出されたリソースを判定する。726において、UE702は、同期信号が検出されたリソースに基づいてパラメータ情報を判定する。これらのリソースは、パラメータ情報を判定するために使用されてもよい。その理由は、特定のリソースが特定のパラメータ情報に対応するからである。たとえば、特定のパラメータに関する3つの考えられるパラメータ値がある場合、3つのリソースのうちの1つ上で同期信号が検出されることがあり、その場合、検出されたリソースはパラメータおよびパラメータ値を特定する。UE702は、リソースをそれぞれのパラメータおよびそれぞれのパラメータ値にマップするマッピングテーブルを使用してもよい。
【００６２】
基地局は、パラメータ情報を示すための1つまたは複数の手法を使用してリソースを選択してもよい。一態様によれば、パラメータ情報を伝達するための特定のリソースを選択することは、ある同期信号(たとえば、PSS)の送信用に使用されるリソースと別の同期信号(たとえば、SSS)の送信用に使用されるリソースとの間に存在するある長さのガードサブキャリアリソースを選択することを含んでもよい。したがって、基地局は、2つの同期信号間の特定の長さのガードサブキャリアが特定のパラメータの特定のパラメータ値を示すように、同期信号を送信するためのリソースを選択してもよい。UEは、2つの同期信号を伝達するリソースにおいて2つの同期信号を検出したときに、これらのリソースに基づいてガードサブキャリアの長さを判定してもよく、ガードサブキャリアの長さに対応するパラメータ値を判定してもよい。たとえば、伝達されるパラメータが3つの考えられるパラメータ値のうちの1つを有することができる場合、第1の数のガードサブキャリアはパラメータの第1のパラメータ値を示してもよく、第2の数のガードサブキャリアはパラメータの第2のパラメータ値を示してもよく、第3の数のガードサブキャリアはパラメータの第3のパラメータ値を示してもよい。一態様では、UEは、2つの同期信号が検出されたリソースの位置に基づいてガードサブキャリアの長さを判定してもよい。ガードサブキャリアの長さは、サブキャリアの数が単位であってもよい。たとえば、2つの異なる同期信号の間に4つのガードサブキャリアを使用することはTDDモードを示してもよく、2つの異なる同期信号の間に5つのガードサブキャリアを使用することは、デュプレックス構成パラメータに関するFDDモードを示してもよい。一態様では、パラメータ情報を示すためのリソースを選択することは、ある同期信号の中心周波数と別の同期信号の中心周波数との間の距離を判定することを含んでもよく、それによって、同期信号の中心周波数同士の間の距離を使用して、特定のパラメータの特定のパラメータ値を示してもよい。
【００６３】
一態様では、パラメータ情報を示すためのリソースを選択することは、同期信号を送信するためのリソース(たとえば、サブキャリア)を判定することを含んでもよい。たとえば、基地局は、同期信号の送信用に特定のサブキャリアを選択して、特定のパラメータ情報を示してもよい。たとえば、同期信号の送信用にサブキャリア番号500〜550を選択することが、あるパラメータ値を示してもよく、同期信号の送信用にサブキャリア番号501〜550を選択することが別のパラメータ値を示してもよい。
【００６４】
図8Aおよび図8Bは、ガードサブキャリアおよび/またはリソース位置に基づくパラメータ情報のインジケーションを示す例示的な図である。図8Aは、同期信号が周波数分割多重化されるときの、特定のパラメータ値を有するパラメータ情報のインジケーションを含む例示的な図800であり、図8Bは、同期信号が周波数分割多重化されるときの、別の特定のパラメータ値を有するパラメータ情報のインジケーションを含む例示的な図850である。例示的な図800では、基地局は、第1のサブキャリア812を使用して第1の同期信号(Sync1、たとえばPSS)を送信し、第2のサブキャリア814を使用して第2の同期信号(Sync2、たとえばSSS)を送信し、第1の同期信号に使用される第1のサブキャリア812と第2の同期信号に使用される第2のサブキャリア814との間に位置するガードサブキャリア816をさらに使用する。第1の同期信号は、サブキャリア番号401〜490を有する第1のサブキャリア812を使用して送信され、第2の同期信号は、サブキャリア番号501〜590を有する第2のサブキャリア814を使用して送信され、サブキャリア番号491〜500を有するガードサブキャリア816は、第1のサブキャリア812と第2のサブキャリア814との間に位置する。したがって、例示的な図800に示す例では、基地局は、ガードサブキャリアの長さが10個のサブキャリアであり、(サブキャリア番号445における)第1の同期信号の中心周波数と(サブキャリア番号545における)第2の同期信号の中心周波数との間の距離が100個のサブキャリアになるように、第1の同期および第2の同期用のサブキャリアリソースを選択している。
【００６５】
図8Bの例示的な図850では、基地局は、第1のサブキャリア862を使用して第1の同期信号(Sync1、たとえばPSS)を送信し、第2のサブキャリア864を使用して第2の同期信号(Sync2、たとえばSSS)を送信し、第1の同期信号を送信するために使用される第1のサブキャリア862と第2の同期信号を送信するために使用される第2のサブキャリア814との間に位置するガードサブキャリア866をさらに使用する。第1の同期信号は、サブキャリア番号401〜490を有する第1のサブキャリア862を使用して送信され、第2の同期信号は、サブキャリア番号502〜591を有する第2のサブキャリア864を使用して送信され、サブキャリア番号491〜501を有するガードサブキャリア866は、第1のサブキャリア862と第2のサブキャリア864との間に位置する。したがって、例示的な図800に示す例では、基地局は、ガードサブキャリアの長さが11個のサブキャリアであり、(サブキャリア番号445における)第1の同期信号の中心周波数と(サブキャリア番号546における)第2の同期信号の中心周波数との間の距離が101個のサブキャリアになるように、第1の同期および第2の同期用のサブキャリアリソースを選択している。
【００６６】
例示的な図800および例示的な図850を参照すると、一態様では、基地局は、同期信号用のサブキャリアリソースを選択するときに、特定のパラメータ値を示すある長さのガードサブキャリアを選択してもよい。基地局は、例示的な図800に示すように、10個のサブキャリアからなるガードサブキャリア長を選択して第1のパラメータ値を示してもよく、例示的な図850に示すように、11個のサブキャリアからなるガードサブキャリア長を選択して第2のパラメータ値を示してもよい。そのような場合、UEは、第1のサブキャリア812(サブキャリア番号401〜490)において第1の同期信号を検出し、第2のサブキャリア814(サブキャリア番号501〜590)において第2の同期信号を検出した場合、ガードサブキャリア長は10であると判定し、したがって、第1のパラメータ値を判定してもよい。UEは、第1のサブキャリア862(サブキャリア番号401〜490)において第1の同期信号を検出し、第2のサブキャリア864(サブキャリア番号502〜591)において第2の同期信号を検出した場合、ガードサブキャリア長は11であると判定し、したがって、第2のパラメータ値を判定してもよい。一例では、基地局は、10のガードサブキャリア長を選択してTDDモードを示してもよく、あるいは11のガードサブキャリア長を選択してFDDモードを示してもよい。一態様では、2つ以上のパラメータのパラメータ情報は、2つ以上のパラメータに関するパラメータ値の様々な組合せを介して示されてもよい。たとえば、基地局は、デュプレックス構成パラメータおよびCP持続時間パラメータに関するパラメータ情報を示すために、10のガードサブキャリア長を選択してTDDモード/ECPを示すか、または11のガードサブキャリア長を選択してTDDモード/NCPを示すか、または12のガードサブキャリア長を選択してFDDモード/ECPを示すか、または13のガードサブキャリア長を選択してFDDモード/NCPを示してもよい。したがって、ガードサブキャリア長と特定のパラメータのパラメータ値との間でマッピングが行われる。
【００６７】
一態様では、基地局は、同期信号用のサブキャリアリソースを選択するときに、ある同期信号の中心周波数と別の同期信号の中心周波数との間の距離を選択して、選択された距離に対応する特定のパラメータ値を示してもよい。UEは、2つの同期信号を伝達するリソースにおいて2つの同期信号を検出したときに、これらのリソースに基づいて1つの同期信号の中心周波数と別の同期信号の中心周波数との間の距離を判定してもよく、2つの中心周波数間の距離に対応するパラメータ値を判定してもよい。たとえば、基地局は、例示的な図800に示すように、中心周波数間の距離として100個のサブキャリアを選択して第1のパラメータ値を示してもよく、例示的な図850に示すように、中心周波数間の距離として101個のサブキャリアを選択して第2のパラメータ値を示してもよい。そのような場合、UEは、第1のサブキャリア812における第1の同期信号および第2のサブキャリア814における第2の同期信号を検出した場合、第1の周波数の中心周波数と第2の周波数の中心周波数との間の距離は100個のサブキャリアであると判定し、したがって、第1のパラメータ値を判定してもよい。UEは、第1のサブキャリア862における第1の同期信号および第2のサブキャリア864における第2の同期信号を検出した場合、第1の周波数の中心周波数と第2の周波数の中心周波数との間の距離は101個のサブキャリアであると判定し、したがって、第2のパラメータ値を判定してもよい。一例では、基地局は、中心周波数間の距離が100になるようにリソースを選択してTDDモードを示してもよく、あるいは中心周波数間の距離が101になるようにリソースを選択してFDDモードを示してもよい。一態様では、2つ以上のパラメータのパラメータ情報は、2つ以上のパラメータに関するパラメータ値の様々な組合せを介して示されてもよい。たとえば、基地局は、デュプレックス構成パラメータおよびCP持続時間パラメータに関するパラメータ情報を示すために、中心周波数間の距離が100であるリソースを選択してTDDモード/ECPを示すか、または中心周波数間の距離が101であるリソースを選択してTDDモード/NCPを示すか、または中心周波数間の距離が102であるリソースを選択してFDDモード/ECPを示すか、または中心周波数間の距離が103であるリソースを選択してFDDモード/NCPを示してもよい。
【００６８】
一態様では、基地局が同期信号を送信するために選択するサブキャリアリソースの位置は、特定のパラメータ値を示してもよい。UEは、同期信号を伝達するサブキャリアリソースにおいて同期信号を検出したときに、同期信号が検出されたサブキャリアリソースの位置を判定してもよく、サブキャリアリソースの位置に対応するパラメータ値を判定してもよい。例示的な図800および例示的な図850を参照すると、たとえば、基地局は、(第2の同期信号を送信するための)サブキャリア番号501〜590を有するサブキャリアを選択して第1のパラメータ値を示してもよく、サブキャリア番号502〜591を有するサブキャリアを選択して第2のパラメータ値を示してもよい。そのような場合、UEは、サブキャリア番号501〜590における第2の同期信号を検出した場合、第1のパラメータ値を判定してもよい。UEは、サブキャリア番号501〜591における第2の同期信号を検出した場合、第2のパラメータ値を判定してもよい。一例では、基地局は、サブキャリア番号501〜590を有するサブキャリアを選択してTDDモードを示してもよく、あるいはサブキャリア番号501〜591を有するサブキャリアを選択してFDDモードを示してもよい。一態様では、2つ以上のパラメータのパラメータ情報は、2つ以上のパラメータに関するパラメータ値の様々な組合せを介して示されてもよい。たとえば、基地局は、デュプレックス構成パラメータおよびCP持続時間パラメータに関するパラメータ情報を示すために、サブキャリア番号501〜590を有するサブキャリアを選択してTDDモード/ECPを示すか、またはサブキャリア番号501〜591を有するサブキャリアを選択してTDDモード/NCPを示すか、またはサブキャリア番号501〜592のサブキャリアを選択してFDDモード/ECPを示すか、またはサブキャリア番号501〜593を有するサブキャリアを選択してFDDモード/NCPを示してもよい。
【００６９】
図9Aおよび図9Bは、リソース位置に基づくパラメータ情報のインジケーションを示す例示的な図である。図9Aは、同期信号が時分割多重化されるときの、特定のパラメータ値を有するパラメータ情報のインジケーションを含む例示的な図900であり、図9Bは、同期信号が時分割多重化されるときの、別の特定のパラメータ値を有するパラメータ情報のインジケーションを含む例示的な図950である。例示的な図900では、基地局は、第1のサブキャリア912を使用して第1の同期信号(Sync1、たとえばPSS)を送信し、第2のサブキャリア914を使用して第2の同期信号(Sync2、たとえばSSS)を送信する。時分割多重化に起因して、第2の同期信号に関する送信時間は、第1の同期信号に関する送信時間よりも遅い。第1の同期信号は、サブキャリア番号401〜490を有する第1のサブキャリア912を使用して送信され、第2の同期信号は、サブキャリア番号491〜590を有する第2のサブキャリア914を使用して送信される。例示的な図950では、基地局は、第1のサブキャリア962を使用して第1の同期信号(Sync1、たとえばPSS)を送信し、第2のサブキャリア964を使用して第2の同期信号(Sync2、たとえばSSS)を送信する。時分割多重化に起因して、第2の同期信号に関する送信時間は、第1の同期信号に関する送信時間よりも遅い。第1の同期信号は、サブキャリア番号402〜491を有する第1のサブキャリア962を使用して送信され、第2の同期信号は、サブキャリア番号492〜591を有する第2のサブキャリア964を使用して送信される。
【００７０】
例示的な図900および例示的な図950を参照すると、基地局が同期信号を送信するために選択するサブキャリアリソースは、特定のパラメータ値を示してもよい。たとえば、基地局は、第2の同期信号を送信するためのサブキャリア番号491〜590を有するサブキャリアを選択してある特定のパラメータ値を示してもよく、サブキャリア番号492〜591を有するサブキャリアを選択して別の特定のパラメータ値を示してもよい。そのような場合、UEは、サブキャリア番号491〜590における第2の同期信号を検出した場合、第1のパラメータ値を判定してもよい。UEは、サブキャリア番号492〜591における第2の同期信号を検出した場合、第2のパラメータ値を判定してもよい。一例では、基地局は、サブキャリア番号491〜590を有するサブキャリアを選択してTDDモードを示してもよく、あるいはサブキャリア番号492〜591を有するサブキャリアを選択してFDDモードを示してもよい。一態様では、2つ以上のパラメータのパラメータ情報は、2つ以上のパラメータに関するパラメータ値の様々な組合せを介して示されてもよい。たとえば、基地局は、デュプレックス構成パラメータおよびCP持続時間パラメータに関するパラメータ情報を示すために、第2の同期信号の送信用に使用されるべき特定のサブキャリアを選択してもよく、この場合、基地局は、サブキャリア番号491〜590を有するサブキャリアを選択してTDDモード/ECPを示すか、またはサブキャリア番号492〜591を有するサブキャリアを選択してTDDモード/NCPを示すか、またはサブキャリア番号493〜592のサブキャリアを選択してFDDモード/ECPを示すか、またはサブキャリア番号494〜593を有するサブキャリアを選択してFDDモード/NCPを示してもよい。
【００７１】
本開示の一態様では、パラメータ情報を示すためのリソースを選択することは、同期信号の送信順序を選択することを含んでもよい。詳細には、基地局は、同期信号送信の特定の順序(シーケンス)を選択することによって様々なパラメータ値を示してもよい。たとえば、基地局は、第1の同期信号を送信し、次いで第2の同期信号を送信して第1のパラメータ値を示すことを判定してもよく、第2の同期信号を送信し、次いで第1の同期信号を送信して第2のパラメータ値を示すことを判定してもよい。一態様では、基地局は、同期信号用のリソースを特定の順序で選択し、それによって同期信号が特定の順序で送信されてもよく、このことは特定のパラメータ値を示す。たとえば、基地局は、第1の同期信号用により早い時間リソースを選択し、第2の同期信号用により遅い時間リソースを選択して第1のパラメータ値を示してもよく、第2の同期信号用により早い時間リソースを選択し、第1の同期信号用により遅い時間リソースを選択して第2のパラメータ値を示してもよい。UEは、候補リソースにおける同期信号を検出してもよく、同期信号の繰り返しの順序に基づいて同期信号の順序を判定してもよく、同期信号の順序に対応する特定のパラメータ値を判定してもよい。たとえば、UEは、第1の同期信号を検出し、次いで第2の同期信号を検出した場合、第1の同期信号および第2の同期信号の順序が第1のパラメータ値を示すと判定してもよい。たとえば、UEは、第2の同期信号を検出し、次いで第1の同期信号を検出した場合、第2の同期信号および第1の同期信号の順序が第2のパラメータ値を示すと判定してもよい。一例では、特定のパラメータのパラメータ値を伝達するために様々な手法の組合せが使用されてもよい。たとえば、同期信号の順序を使用して1つのパラメータ値が伝達されてもよく、2つの同期信号間の間隔に基づいて他の2つのパラメータ値が伝達されてもよい。
【００７２】
図10Aおよび図10Bは、特定の順序での同期信号の送信を示す例示的な図である。図10Aは、特定のパラメータ値を示すために特定の順序での同期信号の送信を示す例示的な図1000である。公称シンボル持続時間の間、基地局は、PBCH信号1012、PSS1014、SSS1016、およびPBCH信号の繰り返し1018を送信してもよい。例示的な図1000では、同期信号の送信順序は、PSS1014がSSS1016よりも前に送信されることを示す。PSS1014およびSSS1016の送信の特定の順序は、特定のパラメータに関する特定のパラメータ値を示してもよい。したがって、基地局は、PSS1014が最初に送信され、次にSSS1016が送信されるように同期信号用のリソースを選択して、特定のパラメータの特定のパラメータ値を示してもよい。図10Bは、特定のパラメータの別の特定のパラメータ値を示すための、別の特定の順序での同期信号の送信を示す例示的な図1050である。公称シンボル持続時間の間、基地局は、PBCH信号1062、SSS1064、PSS1066、およびPBCH信号の繰り返し1068を送信してもよい。例示的な図1050では、同期信号の送信順序は、SSS1064がPSS1066よりも前に送信されることを示す。例示的な図1050におけるSSS1064およびPSS1066の特定の送信順序は、PSS1014およびSSS1016の送信順序とは異なる。したがって、SSS1064およびPSS1066の送信順序は、PSS1014およびSSS1016の送信順序によって示されるパラメータ値とは異なる特定のパラメータ値を示す。したがって、基地局は、SSS1064が最初に送信され、次にPSS1066が送信されるように同期信号用のリソースを選択して、特定のパラメータの特定のパラメータ値を示してもよい。
【００７３】
たとえば、例示的な図1000および例示的な図1050を参照すると、デュプレックス構成パラメータの場合、基地局は、SSS1016よりも前にPSS1014を送信するようにリソースを選択してTDDモードを示すか、あるいはPSS1066よりも前にSSS1064を送信するようにリソースを選択してFDDモードを示してもよい。そのような場合、UEは、候補リソースにおいてSSS1016よりも前にPSS1014を検出した場合、TDDモードを判定し、一方、UEは、候補リソースにおいてPSS1066よりも前にSSS1064を検出した場合、FDDモードを判定する。一態様では、2つ以上のパラメータのパラメータ情報は、その2つ以上のパラメータに関する3つ以上の同期信号のそれぞれに異なる順序を介して示されてもよい。たとえば、基地局は、デュプレックス構成パラメータおよびCP持続時間パラメータに関するパラメータ情報を示すために、PSS、SSS、およびBRSを順次送信するようにリソースを選択してTDDモード/ECPを示すか、またはSSS、PSS、およびBRSを順次送信するようにリソースを選択してTDDモード/NCPを示すか、またはPSS、BRS、およびSSSを順次送信するようにリソースを選択してFDDモード/ECPを示すか、またはBRS、PSS、およびSSSを順次送信するようにリソースを選択してFDDモード/NCPを示してもよい。
【００７４】
図11A、図11B、および図11Cは、本開示の一態様による同期信号の送信を示す例示的な図である。図11Aは、本開示の一態様による、無線フレームにわたって拡散された同期信号の送信を示す例示的な図1100である。基地局は、1つの無線フレーム内の2つのセッション内にPSS、SSS、およびPBCH信号などの同期信号を送信してもよい。この例では、無線フレームの長さは10ミリ秒であるので、基地局は、同期信号を5ミリ秒おきに送信してもよい。具体的には、基地局は、無線フレーム内の第1の同期チャネル1112を使用して最初に(たとえば、第1の同期サブフレームの間に)同期信号を送信し、次いで第2の同期チャネル1114を使用して後から(たとえば、第2の同期サブフレームの間に)再び同期信号を送信してもよい。第2の同期チャネル1114の後で1116においてRACHが生じてもよい。
【００７５】
図11Bは、同期チャネルを特定の順序の同期信号とともに使用する同期信号の送信を示す例示的な図1130である。この例では、基地局は、処理済みの同期信号1132における異なる同期信号間にサイクリックプレフィックスが存在するように、同期チャネル(たとえば、第1の同期チャネル1112または第2の同期チャネル1114)用の同期信号を処理してもよい。同期信号は、PSS、SSS、およびPBCHを時分割多重化することによって処理されてもよい。たとえば、処理済みの同期信号1132は、図10Aの例示的な図1000におけるPBCH1012、PSS1014、SSS1016、およびPBCHの繰り返し1018を時分割多重化することによって取得されてもよい。処理済みの同期信号1132が1つのシンボルにおいて送信される間、基地局は、第1の期間1134の間にPBCHを送信し、第2の期間1136の間にPSSを送信し、第3の期間1138においてSSSを送信し、第4の期間1140の間にPBCHの繰り返しを送信してもよく、第1の期間1134、第2の期間1136、第3の期間1138、および第4の期間1140の各々が開始する前にサイクリックプレフィックスが設けられる。したがって、基地局は、PSSが最初に送信され、次にSSSが送信されるように同期信号用のリソースを選択して、PSSおよびSSSの送信順序に対応する特定のパラメータ値を示している。第1の期間1134、第2の期間1136、第3の期間1138、および第4の期間1140の各々がOFDMシンボルに対応してもよい。一態様では、PBCH信号と繰り返されるPBCH信号は、時分割多重化の間時間的に離間されてもよい。この場合、14個のシンボルがあるので、処理済みの同期信号1132の送信は、(たとえば、セクター全体を対象とするために)14の方向において掃引式に14回行われてもよい。
【００７６】
図11Cは、同期チャネルを別の特定の順序の同期信号とともに使用する同期信号の送信を示す例示的な図1160である。この例では、基地局は、処理済みの同期信号1162における異なる同期信号間にサイクリックプレフィックスが存在するように、同期チャネル(たとえば、第1の同期チャネル1112または第2の同期チャネル1114)用の同期信号を処理してもよい。同期信号は、PSS、SSS、およびPBCHを時分割多重化することによって処理されてもよい。たとえば、処理済みの同期信号1162は、図10Bの例示的な図1050におけるPBCH1062、SSS1064、PSS1066、およびPBCHの繰り返し1068を時分割多重化することによって取得されてもよい。処理済みの同期信号1162が1つのシンボルにおいて送信される間、基地局は、第1の期間1164の間にPBCHを送信し、第2の期間1166の間にSSSを送信し、第3の期間1168においてPSSを送信し、第4の期間1170の間にPBCHの繰り返しを送信してもよく、第1の期間1164、第2の期間1166、第3の期間1168、および第4の期間1170の各々が開始する前にサイクリックプレフィックスが設けられる。したがって、基地局は、SSSが最初に送信され、次にPSSが送信されるように同期信号用のリソースを選択して、SSSおよびPSSの送信順序に対応する特定のパラメータ値を示している。第1の期間1164、第2の期間1166、第3の期間1168、および第4の期間1170の各々がOFDMシンボルに対応してもよい。一態様では、PBCH信号と繰り返されるPBCH信号は、時分割多重化の間時間的に離間されてもよい。この場合、14個のシンボルがあるので、処理済みの同期信号1162の送信は、(たとえば、セクター全体を対象とするために)14の方向において掃引式に14回行われてもよい。
【００７７】
図12は、ワイヤレス通信の方法のフローチャート1200である。この方法は、基地局（たとえば、基地局704、装置1402/1402'）によって実施されてもよい。1202において、基地局は、1つまたは複数のパラメータのパラメータ情報を判定する。たとえば、上記で説明したように、基地局(LTE基地局)は、様々なパラメータを判定し、および/またはUEに伝達してもよい。一態様では、1つまたは複数のパラメータのパラメータ情報は、CP持続時間パラメータ、BRS送信パラメータ、デュプレックス構成パラメータのうちの少なくとも1つの各々のパラメータ値を含む。たとえば、上記で説明したように、値がパラメータ情報において伝達される場合がある1つまたは複数のパラメータは、CP持続時間パラメータ、BRS送信パラメータ、およびデュプレックス構成パラメータのうちの1つまたは複数を含んでもよい。そのような態様では、CP持続時間パラメータは、ECPが使用されているのかそれともNCPが使用されているのかを示してもよい。たとえば、上記で説明したように、CP持続時間パラメータは、ECPまたはNCPのいずれかを示してもよく、ECP持続時間(たとえば、10マイクロ秒)はNCP持続時間(たとえば、6マイクロ秒)よりも長くてもよい。そのような態様では、BRS送信パラメータは、BRS送信インジケータまたはBRS構成パラメータのうちの少なくとも一方を含んでもよく、BRS送信インジケータは、BRS送信がトリガされているかどうかを示し、BRS構成パラメータは、BRSの送信用のリソースを示す。たとえば、上記で説明したように、BRS送信パラメータは、BRS送信がトリガされているかどうかを示してもよく、および/またはどのBRS構成がBRS送信に使用されるかを示してもよい。そのような態様では、デュプレックス構成パラメータは、基地局がTDDを利用しているかそれともFDDを利用しているかを示してもよい。たとえば、上記で説明したように、デュプレックス構成パラメータは、基地局によってサービスされるセルがTDDモードで動作しているかそれともFDDモードで動作しているかを示してもよい。
【００７８】
1204において、基地局は、パラメータ情報に基づいて、1つまたは複数の同期信号の送信用に複数の候補リソースから同期リソースを選択し、この場合、選択される同期リソースはパラメータ情報に対応する。たとえば、上記で説明したように、基地局は、信号の送信用の複数の候補リソースから信号の送信用のリソースを選択してもよく、その場合、信号の送信用に選択されるリソースは、1つまたは複数のパラメータに関する特定のパラメータ情報(特定のパラメータ値)に対応する。一態様では、1つまたは複数の同期信号は、PSS、SSS、ESS、BRS、またはPBCH信号のうちの少なくとも1つを含んでもよい。たとえば、上記で説明したように、基地局によって送信される信号は、PSS、SSS、ESS、BRS、およびPBCH信号などの少なくとも1つの同期信号を含んでもよい。
【００７９】
一態様では、基地局は、同期リソース内の1つまたは複数の同期信号のうちの少なくとも2つの同期信号用のサブキャリアリソース間に位置するガードサブキャリアの数を選択することによって、複数の候補リソースから同期リソースを選択してもよく、その場合、ガードサブキャリアの数はパラメータ情報を示し、同期リソースはガードサブキャリアの数に基づいて選択される。たとえば、上記で説明したように、基地局は、2つの同期信号間の特定の長さのガードサブキャリアが特定のパラメータ値を示すように、同期信号を送信するためのリソースを選択してもよい。
【００８０】
一態様では、基地局は、同期リソース内の1つまたは複数の同期信号のうちの少なくとも2つの同期信号の中心周波数間の距離を選択することによって、複数の候補リソースから同期リソースを選択してもよく、その場合、同期リソースは中心周波数間の距離に基づいて選択される。たとえば、上記で説明したように、基地局は、同期信号用のサブキャリアリソースを選択するときに、ある同期信号の中心周波数と別の同期信号の中心周波数との間の距離を選択して、選択された距離に対応する特定のパラメータ値を示してもよい。たとえば、上記で説明したように、基地局は、候補リソースから選択された1つまたは複数のリソースを使用して同期信号を送信してもよい。
【００８１】
一態様では、基地局は、同期リソース内の1つまたは複数の同期信号のうちの少なくとも1つの同期信号用のサブキャリアリソースの位置を判定することによって、複数の候補リソースから同期リソースを選択してもよく、その場合、サブキャリアリソースの位置はパラメータ情報を示し、同期リソースはサブキャリアリソースに基づいて選択される。たとえば、上記で説明したように、基地局が同期信号を送信するために選択するサブキャリアリソースの位置は、特定のパラメータ値を示してもよい。
【００８２】
一態様では、基地局は、1つまたは複数の同期信号のうちの少なくとも2つの同期信号の順序を判定することによって、複数の候補リソースから同期リソースを選択してもよく、この順序はパラメータ情報を示し、同期リソースは、1つまたは複数の同期信号のうちの少なくとも2つの同期信号の順序に基づいて選択される。たとえば、上記で説明したように、パラメータ情報を示すためのリソースを選択することは、同期信号の送信順序を選択することを含んでもよく、基地局は、同期信号送信の特定の順序(シーケンス)を選択することによってそれぞれに異なるパラメータ値を示してもよい。
【００８３】
1206において、基地局は、選択された同期リソースを使用して1つまたは複数の同期信号を送信する。たとえば、上記で説明したように、基地局は、基地局によって選択された同期リソースを使用して信号(たとえば、同期信号)を送信する。一態様では、1つまたは複数の同期信号は、1つまたは複数のmmWビームを介して送信される。たとえば、上記で説明したように、基地局は、選択されたリソースを使用して信号を送信する際、1つまたは複数のmmWビームを使用して信号を送信してもよく、信号をビーム掃引式に送信してもよい。
【００８４】
図13は、ワイヤレス通信の方法のフローチャート1300である。この方法は、基地局(たとえば、基地局704、装置1402/1402')によって実施されてもよい。1302において、基地局は、CP持続時間パラメータを判定する。1304において、基地局は、CP持続時間パラメータをPBCH信号を介して送信する。たとえば、上記で説明したように、基地局は、CP持続時間パラメータを判定してもよく、UEに送信されるPBCH信号においてCP持続時間パラメータを示してもよい。一態様では、CP持続時間パラメータは、ECPが使用されているのかそれともNCPが使用されているのかを示してもよい。たとえば、上記で説明したように、PBCH信号における1つのビットは、システムがECPを利用しているかそれともNCPを利用しているかを示すために使用されてもよい。
【００８５】
図14は、例示的な装置1402内の様々な手段/構成要素間のデータフローを示す概念データフロー図1400である。装置は、基地局であってもよい。装置は、受信構成要素1404と、送信構成要素1406と、パラメータ管理構成要素1408と、リソース管理構成要素1410と、通信管理構成要素1412と、制御チャネル管理構成要素1414とを含む。
【００８６】
本開示の一態様によれば、パラメータ管理構成要素1408は、1つまたは複数のパラメータのパラメータ情報を判定する。パラメータ管理構成要素1408は、1452において、パラメータ情報をリソース管理構成要素1410に転送してもよい。一態様では、1つまたは複数のパラメータのパラメータ情報は、CP持続時間パラメータ、BRS送信パラメータ、デュプレックス構成パラメータのうちの少なくとも1つの各々のパラメータ値を含む。そのような態様では、CP持続時間パラメータは、ECPが使用されているのかそれともNCPが使用されているのかを示してもよい。そのような態様では、BRS送信パラメータは、BRS送信インジケータまたはBRS構成パラメータのうちの少なくとも一方を含んでもよく、BRS送信インジケータは、BRS送信がトリガされるかどうかを示し、BRS構成パラメータは、BRSの送信用のリソースを示す。そのような態様では、デュプレックス構成パラメータは、基地局がTDDを利用しているかそれともFDDを利用しているかを示してもよい。
【００８７】
リソース管理構成要素1410は、パラメータ情報に基づいて、1つまたは複数の同期信号の送信用に複数の候補リソースから同期リソースを選択し、この場合、選択される同期リソースはパラメータ情報に対応する。リソース管理構成要素1410は、1454において、受信構成要素1404から受信された情報を検討して同期リソースを選択してもよい。リソース管理構成要素1410は、1456において、選択された同期リソースに関する情報を通信管理構成要素1412に転送してもよい。一態様では、1つまたは複数の同期信号は、PSS、SSS、ESS、BRS、またはPBCH信号のうちの少なくとも1つを含んでもよい。
【００８８】
一態様では、リソース管理構成要素1410は、同期リソース内の1つまたは複数の同期信号のうちの少なくとも2つの同期信号用のサブキャリアリソース間に位置するガードサブキャリアの数を選択することによって、複数の候補リソースから同期リソースを選択し、その場合、ガードサブキャリアの数はパラメータ情報を示し、同期リソースはガードサブキャリアの数に基づいて選択される。一態様では、リソース管理構成要素1410は、同期リソース内の1つまたは複数の同期信号のうちの少なくとも2つの同期信号の中心周波数間の距離を選択することによって、複数の候補リソースから同期リソースを選択し、その場合、同期リソースは中心周波数間の距離に基づいて選択される。一態様では、リソース管理構成要素1410は、同期リソース内の1つまたは複数の同期信号のうちの少なくとも1つの同期信号用のサブキャリアリソースの位置を判定することによって、複数の候補リソースから同期リソースを選択し、その場合、サブキャリアリソースの位置はパラメータ情報を示し、同期リソースはサブキャリアリソースに基づいて選択される。一態様では、リソース管理構成要素1410は、1つまたは複数の同期信号のうちの少なくとも2つの同期信号の順序を判定することによって、複数の候補リソースから同期リソースを選択し、この順序はパラメータ情報を示し、同期リソースは、1つまたは複数の同期信号のうちの少なくとも2つの同期信号の順序に基づいて選択される。
【００８９】
通信管理構成要素1412は、1458および1460において、選択された同期リソースを使用して送信構成要素1406を介して1つまたは複数の同期信号を(たとえば、UE1430に)送信する。一態様では、1つまたは複数の同期信号は、1つまたは複数のmmWビームを介して送信される。通信管理構成要素1412は、1462および1464において、UE1430から受信構成要素1404を介して情報を受信してもよい。
【００９０】
本開示の別の態様では、パラメータ管理構成要素1408は、CP持続時間パラメータを判定する。パラメータ管理構成要素1408は、1472において、CP持続時間パラメータを制御チャネル管理構成要素1414に転送してもよい。制御チャネル管理構成要素1414は、1474および1460において、送信構成要素1406を介しPBCH信号を介してCP持続時間パラメータを(たとえば、UE1430に)送信する。一態様では、CP持続時間パラメータは、ECPが使用されているのかそれともNCPが使用されているのかを示してもよい。
【００９１】
装置は、図12および図13の上述されたフローチャート内のアルゴリズムのブロックの各々を実施するさらなる構成要素を含む場合がある。したがって、図12および図13の上述されたフローチャート内の各ブロックは、1つの構成要素によって実施される場合があり、装置は、それらの構成要素のうちの1つまたは複数を含む場合がある。構成要素は、述べられたプロセス/アルゴリズムを遂行するように具体的に構成された1つもしくは複数のハードウェア構成要素であるか、述べられたプロセス/アルゴリズムを実施するように構成されたプロセッサによって実装されるか、プロセッサによる実装のためにコンピュータ可読媒体内に記憶されるか、またはそれらの何らかの組合せであってもよい。
【００９２】
図15は、処理システム1514を利用する装置1402'のためのハードウェア実装の一例を示す図1500である。処理システム1514は、バス1524によって全体的に表されるバスアーキテクチャで実装される場合がある。バス1524は、処理システム1514の特定の適用例および全体的な設計制約に応じて、任意の数の相互接続するバスおよびブリッジを含む場合がある。バス1524は、プロセッサ1504によって表される1つまたは複数のプロセッサおよび/またはハードウェア構成要素と、構成要素1404、1406、1408、1410、1412、1414と、コンピュータ可読媒体/メモリ1506とを含む様々な回路を互いにリンクする。バス1524はまた、タイミングソース、周辺装置、電圧調整器、および電力管理回路などの様々な他の回路をリンクする場合があるが、これらの回路は当技術分野においてよく知られており、したがって、これ以上説明しない。
【００９３】
処理システム1514は、トランシーバ1510に結合される場合がある。トランシーバ1510は、1つまたは複数のアンテナ1520に結合される。トランシーバ1510は、伝送媒体を介して様々な他の装置と通信するための手段を提供する。トランシーバ1510は、1つまたは複数のアンテナ1520から信号を受信し、受信された信号から情報を抽出し、抽出された情報を処理システム1514、特に受信構成要素1404に提供する。さらに、トランシーバ1510は、処理システム1514、特に送信構成要素1406から情報を受信し、受信された情報に基づいて、1つまたは複数のアンテナ1520に印加されるべき信号を生成する。処理システム1514は、コンピュータ可読媒体/メモリ1506に結合されたプロセッサ1504を含む。プロセッサ1504は、コンピュータ可読媒体/メモリ1506に記憶されたソフトウェアの実行を含む、一般的な処理に関与する。ソフトウェアは、プロセッサ1504によって実行されたときに、任意の特定の装置に対して上記に記載された様々な機能を処理システム1514に実行させる。コンピュータ可読媒体/メモリ1506は、ソフトウェアを実行するときにプロセッサ1504によって操作されるデータを記憶するためにも使用される場合がある。処理システム1514は、構成要素1404、1406、1408、1410、1412、1414のうちの少なくとも1つをさらに含む。それらの構成要素は、プロセッサ1504内で動作し、コンピュータ可読媒体/メモリ1506に存在する/記憶されたソフトウェア構成要素、プロセッサ1504に結合された1つもしくは複数のハードウェア構成要素、またはそれらの何らかの組合せであってもよい。処理システム1514は、eNB310の構成要素の場合があり、メモリ376、ならびに/またはTXプロセッサ316、RXプロセッサ370、およびコントローラ/プロセッサ375のうちの少なくとも1つを含む場合がある。
【００９４】
一構成では、ワイヤレス通信用の装置1402/1402'は、1つまたは複数のパラメータのパラメータ情報を判定するための手段と、パラメータ情報に基づいて、1つまたは複数の同期信号の送信用に複数の候補リソースから同期リソースを選択するための手段であって、選択される同期リソースがパラメータ情報に対応する手段と、選択された同期リソースを使用して1つまたは複数の同期信号を送信するための手段とを含む。一態様では、複数の候補リソースから同期リソースを選択するための手段は、同期リソース内の1つまたは複数の同期信号のうちの少なくとも2つの同期信号用のサブキャリアリソース間に位置するガードサブキャリアの数を選択するように構成され、その場合、ガードサブキャリアの数はパラメータ情報を示し、同期リソースはガードサブキャリアの数に基づいて選択される。一態様では、複数の候補リソースから同期リソースを選択するための手段は、同期リソース内の1つまたは複数の同期信号のうちの少なくとも2つの同期信号の中心周波数間の距離を選択するように構成され、その場合、同期リソースは中心周波数間の距離に基づいて選択される。一態様では、複数の候補リソースから同期リソースを選択するための手段は、同期リソース内の1つまたは複数の同期信号のうちの少なくとも1つの同期信号用のサブキャリアリソースの位置を判定するように構成され、その場合、サブキャリアリソースの位置はパラメータ情報を示し、同期リソースはサブキャリアリソースに基づいて選択される。一態様では、複数の候補リソースから同期リソースを選択するための手段は、1つまたは複数の同期信号のうちの少なくとも2つの同期信号の順序を判定するように構成され、この順序はパラメータ情報を示し、同期リソースは、1つまたは複数の同期信号のうちの少なくとも2つの同期信号の順序に基づいて選択される。
【００９５】
別の構成では、ワイヤレス通信用の装置1402/1402'は、CP持続時間パラメータを判定するための手段と、CP持続時間パラメータをPBCHを介して送信するための手段とを含む。
【００９６】
上述の手段は、上述の手段によって列挙された機能を実行するように構成された装置1402の上述の構成要素、および/または装置1402'の処理システム1514の上述の構成要素のうちの1つまたは複数であってもよい。上記で説明したように、処理システム1514は、TXプロセッサ316と、RXプロセッサ370と、コントローラ/プロセッサ375とを含む場合がある。したがって、一構成では、上述の手段は、上述の手段によって列挙された機能を実施するように構成されたTXプロセッサ316、RXプロセッサ370、およびコントローラ/プロセッサ375であってもよい。
【００９７】
図16は、ワイヤレス通信の方法のフローチャート1600である。方法は、UE(たとえば、UE702、装置1802/1802')によって実行されてもよい。1602において、UEは、複数の候補リソースにおいて1つまたは複数の同期信号を検出する。たとえば、上記で説明したように、UEは、基地局から送信された信号を受信し、候補リソース上の信号を(たとえば、盲目的復号によって)検出してもよい。一態様では、1つまたは複数の同期信号は、PSS、SSS、ESS、BRS、またはPBCH信号のうちの少なくとも1つを含んでもよい。たとえば、上記で説明したように、信号は、PSS、SSS、ESS、BRS、およびPBCH信号などの少なくとも1つの同期信号を含んでもよい。一態様では、1つまたは複数の同期信号は、1つまたは複数のmmWビームを介して送信される。たとえば、上記で説明したように、基地局は、選択されたリソースを使用して信号(たとえば、同期信号)を送信する際、1つまたは複数のmmWビームを使用して信号を送信してもよく、信号をビーム掃引式に送信してもよく、したがって、UEは、1つまたは複数のmmWビームを使用して送信された信号を受信してもよい。
【００９８】
1604において、UEは、複数の候補リソースにおいて1つまたは複数の同期信号が検出される同期リソースを判定する。たとえば、上記で説明したように、UEは、信号を検出したときに、UEが信号を検出した特定のリソースを判定してもよい。1606において、UEは、判定された同期リソースに基づいて1つまたは複数のパラメータのパラメータ情報を判定し、この場合、判定された同期リソースはパラメータ情報に対応する。たとえば、上記で説明したように、UEは、UEが信号を検出した特定のリソースに基づいて、UEが信号を検出した特定のリソースに対応するパラメータ情報を判定してもよい。
【００９９】
一態様では、UEは、同期リソース内の1つまたは複数の同期信号のうちの少なくとも2つの同期信号を送信するためのサブキャリアリソース間に位置するガードサブキャリアの数に基づいてパラメータ情報を判定することによって、1つまたは複数のパラメータのパラメータ情報を判定してもよく、この場合、ガードサブキャリアの数はパラメータ情報を示す。たとえば、上記で説明したように、UEは、2つの同期信号を伝達するリソースにおいて2つの同期信号を検出したときに、これらのリソースに基づいてガードサブキャリアの長さを判定してもよく、ガードサブキャリアの長さに対応するパラメータ値を判定してもよい。たとえば、UEは、2つの同期信号が検出されたリソースの位置に基づいてガードサブキャリアの長さを判定してもよい。
【０１００】
一態様では、UEは、同期リソース内の1つまたは複数の同期信号のうちの少なくとも2つの同期信号の中心周波数間の距離に基づいてパラメータ情報を判定することによって、1つまたは複数のパラメータのパラメータ情報を判定してもよい。たとえば、上記で説明したように、UEは、2つの同期信号を伝達するリソースにおいて2つの同期信号を検出したときに、これらのリソースに基づいて1つの同期信号の中心周波数と別の同期信号の中心周波数との間の距離を判定してもよく、2つの中心周波数間の距離に対応するパラメータ値を判定してもよい。
【０１０１】
一態様では、UEは、同期リソース内の1つまたは複数の同期信号のうちの少なくとも1つの同期信号用のサブキャリアリソースの位置に基づいてパラメータ情報を判定することによって、1つまたは複数のパラメータのパラメータ情報を判定してもよく、この場合、サブキャリアリソースの位置はパラメータ情報を示す。たとえば、上記で説明したように、同期信号を伝達するサブキャリアリソースにおいて同期信号を検出したときに、同期信号が検出されたサブキャリアリソースの位置を判定してもよく、サブキャリアリソースの位置に対応するパラメータ値を判定してもよい。
【０１０２】
一態様では、UEは、1つまたは複数の同期信号のうちの少なくとも2つの同期信号の順序に基づいてパラメータ情報を判定することによって、1つまたは複数のパラメータのパラメータ情報を判定してもよく、この順序はパラメータ情報を示す。たとえば、上記で説明したように、UEは、候補リソースにおける同期信号を検出してもよく、同期信号の繰り返しの順序に基づいて同期信号の順序を判定してもよく、同期信号の順序に対応する特定のパラメータ値を判定してもよい。
【０１０３】
一態様では、1つまたは複数のパラメータのパラメータ情報は、CP持続時間パラメータ、BRS送信パラメータ、デュプレックス構成パラメータのうちの少なくとも1つの各々のパラメータ値を含んでもよい。たとえば、上記で説明したように、値がパラメータ情報において伝達される場合がある1つまたは複数のパラメータは、CP持続時間パラメータ、BRS送信パラメータ、およびデュプレックス構成パラメータのうちの1つまたは複数を含んでもよい。そのような態様では、CP持続時間パラメータは、ECPが使用されているのかそれともNCPが使用されているのかを示してもよい。たとえば、上記で説明したように、CP持続時間パラメータは、ECPまたはNCPのいずれかを示してもよく、ECP持続時間(たとえば、10マイクロ秒)はNCP持続時間(たとえば、6マイクロ秒)よりも長くてもよい。そのような態様では、BRS送信パラメータは、BRS送信インジケータまたはBRS構成パラメータのうちの少なくとも一方を含んでおり、BRS送信インジケータは、BRS送信がトリガされているかどうかを示し、BRS構成パラメータは、BRSの送信用のリソースを示す。たとえば、上記で説明したように、BRS送信パラメータは、BRS送信がトリガされているかどうかを示してもよく、および/またはどのBRS構成がBRS送信に使用されるかを示してもよい。そのような態様では、デュプレックス構成パラメータは、基地局がTDDを利用しているかそれともFDDを利用しているかを示してもよい。たとえば、上記で説明したように、デュプレックス構成パラメータは、基地局によってサービスされるセルがTDDモードで動作しているかそれともFDDモードで動作しているかを示してもよい。
【０１０４】
図17は、ワイヤレス通信の方法のフローチャート1700である。方法は、UE(たとえば、UE702、装置1802/1802')によって実行されてもよい。1702において、UEは、PBCH信号を受信する。1704において、UEは、PBCH信号に基づいてCP持続時間パラメータを判定する。たとえば、上記で説明したように、UEは、PBCH信号を受信したときに、PBCH信号における情報に基づいて(たとえば、1つのビットに基づいて)CP持続時間パラメータ値を判定してもよい。一態様では、CP持続時間パラメータは、ECPが使用されているのかそれともNCPが使用されているのかを示してもよい。たとえば、上記で説明したように、PBCH信号における1つのビットは、システムがECPを利用しているかそれともNCPを利用しているかを示すために使用されてもよい。
【０１０５】
図18は、例示的な装置1802内の様々な手段/構成要素間のデータフローを示す概念データフロー図1800である。この装置は、UEであってもよい。装置は、受信構成要素1804と、送信構成要素1806と、信号検出構成要素1808と、同期リソース判定構成要素1810と、パラメータ判定構成要素1812と、通信管理構成要素1814とを含む。
【０１０６】
信号検出構成要素1808は、複数の候補リソースにおいて1つまたは複数の同期信号を検出する。信号検出構成要素1808は、1852および1854において、基地局1850から受信構成要素1804を介して受信された信号の中から、1つまたは複数の同期信号を検出してもよい。一態様では、1つまたは複数の同期信号は、PSS、SSS、ESS、BRS、またはPBCH信号のうちの少なくとも1つを含んでもよい。一態様では、1つまたは複数の同期信号は、1つまたは複数のmmWビームを介して送信される。信号検出構成要素1808は、1856において、1つまたは複数の同期信号の検出結果を同期リソース判定構成要素1810に転送してもよい。
【０１０７】
同期リソース判定構成要素1810は、複数の候補リソースにおいて1つまたは複数の同期信号が検出される同期リソースを判定する。同期リソース判定構成要素1810は、1858において、判定された同期リソースに関する情報をパラメータ判定構成要素1812に転送してもよい。
【０１０８】
パラメータ判定構成要素1812は、判定された同期リソースに基づいて1つまたは複数のパラメータのパラメータ情報を判定し、この場合、判定された同期リソースはパラメータ情報に対応する。
【０１０９】
一態様では、パラメータ判定構成要素1812は、同期リソース内の1つまたは複数の同期信号のうちの少なくとも2つの同期信号を送信するためのサブキャリアリソース間に位置するガードサブキャリアの数に基づいてパラメータ情報を判定することによって、1つまたは複数のパラメータのパラメータ情報を判定してもよく、この場合、ガードサブキャリアの数はパラメータ情報を示す。一態様では、パラメータ判定構成要素1812は、同期リソース内の1つまたは複数の同期信号のうちの少なくとも2つの同期信号の中心周波数間の距離に基づいてパラメータ情報を判定することによって、1つまたは複数のパラメータのパラメータ情報を判定してもよい。一態様では、パラメータ判定構成要素1812は、同期リソース内の1つまたは複数の同期信号のうちの少なくとも1つの同期信号用のサブキャリアリソースの位置に基づいてパラメータ情報を判定することによって、1つまたは複数のパラメータのパラメータ情報を判定してもよく、この場合、サブキャリアリソースの位置はパラメータ情報を示す。一態様では、パラメータ判定構成要素1812は、1つまたは複数の同期信号のうちの少なくとも2つの同期信号の順序に基づいてパラメータ情報を判定することによって、1つまたは複数のパラメータのパラメータ情報を判定してもよく、この順序はパラメータ情報を示す。
【０１１０】
一態様では、1つまたは複数のパラメータのパラメータ情報は、CP持続時間パラメータ、BRS送信パラメータ、デュプレックス構成パラメータのうちの少なくとも1つの各々のパラメータ値を含んでもよい。そのような態様では、CP持続時間パラメータは、ECPが使用されているのかそれともNCPが使用されているのかを示してもよい。そのような態様では、BRS送信パラメータは、BRS送信インジケータまたはBRS構成パラメータのうちの少なくとも一方を含んでもよく、BRS送信インジケータは、BRS送信がトリガされているかどうかを示し、BRS構成パラメータは、BRSの送信用のリソースを示す。そのような態様では、デュプレックス構成パラメータは、基地局がTDDを利用しているかそれともFDDを利用しているかを示してもよい。
【０１１１】
一態様では、受信構成要素1804は、基地局1850から信号を受信し、受信された信号を通信管理構成要素1860に転送して受信された信号を処理してもよい。通信管理構成要素1814は、1862および1864において、信号を送信構成要素1806を介して基地局1850に送信してもよい。
【０１１２】
本開示の別の態様によれば、信号検出構成要素1808は、1852および1854において(たとえば、基地局1850から)受信構成要素1804を介してPBCH信号を受信する。信号検出構成要素1808は、1872において、PBCH信号をパラメータ判定構成要素1812に転送してもよい。パラメータ判定構成要素1812は、PBCH信号に基づいてCP持続時間パラメータを判定する。一態様では、CP持続時間パラメータは、ECPが使用されているのかそれともNCPが使用されているのかを示す。
【０１１３】
装置は、図16および図17の上述のフローチャート内のアルゴリズムのブロックの各々を実施するさらなる構成要素を含む場合がある。したがって、図16および図17の上述のフローチャート内の各ブロックは、1つの構成要素によって実施される場合があり、装置は、それらの構成要素のうちの1つまたは複数を含む場合がある。構成要素は、述べられたプロセス/アルゴリズムを遂行するように具体的に構成された1つもしくは複数のハードウェア構成要素であるか、述べられたプロセス/アルゴリズムを実施するように構成されたプロセッサによって実装されるか、プロセッサによる実装のためにコンピュータ可読媒体内に記憶されるか、またはそれらの何らかの組合せであってもよい。
【０１１４】
図19は、処理システム1914を利用する装置1802'のためのハードウェア実装の一例を示す図1900である。処理システム1914は、バス1924によって全体的に表されるバスアーキテクチャで実装される場合がある。バス1924は、処理システム1914の特定の適用例および全体的な設計制約に応じて、任意の数の相互接続するバスおよびブリッジを含む場合がある。バス1924は、プロセッサ1904によって表される1つまたは複数のプロセッサおよび/またはハードウェア構成要素と、構成要素1804、1806、1808、1810、1812、1814と、コンピュータ可読媒体/メモリ1906とを含む様々な回路を互いにリンクする。バス1924はまた、タイミングソース、周辺装置、電圧調整器、および電力管理回路などの様々な他の回路をリンクする場合があるが、これらの回路は当技術分野においてよく知られており、したがって、これ以上説明しない。
【０１１５】
処理システム1914は、トランシーバ1910に結合される場合がある。トランシーバ1910は、1つまたは複数のアンテナ1920に結合されている。トランシーバ1910は、伝送媒体を介して様々な他の装置と通信するための手段を提供する。トランシーバ1910は、1つまたは複数のアンテナ1920から信号を受信し、受信された信号から情報を抽出し、抽出された情報を処理システム1914、特に受信構成要素1804に提供する。さらに、トランシーバ1910は、処理システム1914、特に送信構成要素1806から情報を受信し、受信された情報に基づいて、1つまたは複数のアンテナ1920に印加されるべき信号を生成する。処理システム1914は、コンピュータ可読媒体/メモリ1906に結合されたプロセッサ1904を含む。プロセッサ1904は、コンピュータ可読媒体/メモリ1906に記憶されたソフトウェアの実行を含む、一般的な処理に関与する。ソフトウェアは、プロセッサ1904によって実行されたときに、任意の特定の装置に対して上記に記載された様々な機能を処理システム1914に実行させる。コンピュータ可読媒体/メモリ1906はまた、ソフトウェアを実行するときにプロセッサ1904によって操作されるデータを記憶するために使用され得る。処理システム1914は、構成要素1804、1806、1808、1810、1812、1814のうちの少なくとも1つをさらに含む。それらの構成要素は、プロセッサ1904内で動作し、コンピュータ可読媒体/メモリ1906に存在する/記憶されたソフトウェア構成要素、プロセッサ1904に結合された1つもしくは複数のハードウェア構成要素、またはそれらの何らかの組合せであってもよい。処理システム1914は、UE350の構成要素であってよく、メモリ360、ならびに/または、TXプロセッサ368、RXプロセッサ356、およびコントローラ/プロセッサ359のうちの少なくとも1つを含んでよい。
【０１１６】
一構成では、ワイヤレス通信用の装置1802/1802'は、複数の候補リソースにおいて1つまたは複数の同期信号を検出するための手段と、複数の候補リソースにおいて1つまたは複数の同期信号が検出される同期リソースを判定するための手段と、判定された同期リソースに基づいて1つまたは複数のパラメータのパラメータ情報を判定するための手段であって、判定された同期リソースがパラメータ情報に対応する手段とを含む。一態様では、1つまたは複数のパラメータのパラメータ情報を判定するための手段は、同期リソース内の1つまたは複数の同期信号のうちの少なくとも2つの同期信号を送信するためのサブキャリアリソース間に位置するガードサブキャリアの数に基づいてパラメータ情報を判定するように構成され、この場合、ガードサブキャリアの数はパラメータ情報を示す。一態様では、1つまたは複数のパラメータのパラメータ情報を判定するための手段は、同期リソース内の1つまたは複数の同期信号のうちの少なくとも2つの同期信号の中心周波数間の距離に基づいてパラメータ情報を判定するように構成される。一態様では、1つまたは複数のパラメータのパラメータ情報を判定するための手段は、同期リソース内の1つまたは複数の同期信号のうちの少なくとも1つの同期信号用のサブキャリアリソースの位置に基づいてパラメータ情報を判定するように構成され、この場合、サブキャリアリソースの位置はパラメータ情報を示す。一態様では、1つまたは複数のパラメータのパラメータ情報を判定するための手段は、1つまたは複数の同期信号のうちの少なくとも2つの同期信号の順序に基づいてパラメータ情報を判定するように構成され、この順序はパラメータ情報を示す。
【０１１７】
一構成では、ワイヤレス通信用の装置1802/1802'は、PBCH信号を受信するための手段と、PBCH信号に基づいてCP持続時間パラメータを判定するための手段とを含む。
【０１１８】
上述の手段は、上述の手段によって列挙された機能を実行するように構成された装置1802の上述の構成要素、および/または装置1802'の処理システム1914の上述の構成要素のうちの1つまたは複数であってもよい。上記で記載されたように、処理システム1914は、TXプロセッサ368、RXプロセッサ356、およびコントローラ/プロセッサ359を含む場合がある。したがって、一構成では、上述の手段は、上述の手段によって列挙された機能を実施するように構成されたTXプロセッサ368、RXプロセッサ356、およびコントローラ/プロセッサ359であってもよい。
【０１１９】
開示されたプロセス/フローチャートにおけるブロックの特定の順序または階層が例示的な手法の例示であることを理解されたい。設計上の選好に基づいて、プロセス/フローチャートにおけるブロックの特定の順序または階層が再構成される場合があることを理解されたい。さらに、いくつかのブロックは組み合わされてもよく、または省略されてもよい。添付の方法クレームは、様々なブロックの要素を例示的な順序で提示したものであり、提示された特定の順序または階層に限定されるものではない。
【０１２０】
上述の説明は、本明細書で説明した様々な態様を当業者が実践できるようにするために提供される。これらの態様への様々な変更は当業者に容易に明らかになり、本明細書で定義する一般原理は他の態様に適用されてもよい。したがって、特許請求の範囲は、本明細書に示す態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という単語は、本明細書では「例、事例、または例示としての働きをすること」を意味するために使用される。本明細書で「例示的」と記載されている任意の態様は、必ずしも他の態様よりも好ましいまたは有利であると解釈されるべきではない。その他の形で特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、A、B、および/またはCの任意の組合せを含み、複数のA、複数のB、または複数のCを含んでもよい。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者に知られているか、または後に知られることになる、本開示全体を通じて説明した様々な態様の要素に対するすべての構造的および機能的均等物が、参照により本明細書に明確に組み込まれ、特許請求の範囲によって包含されることが意図される。さらに、本明細書で開示したものは、そのような開示が特許請求の範囲に明示的に列挙されているかどうかにかかわらず、公に供されるものではない。「モジュール」、「機構」、「要素」、「デバイス」などの単語は、「手段」という単語の代用ではない場合がある。したがって、いかなるクレーム要素も、その要素が「のための手段」という語句を使用して明確に列挙されていない限り、ミーンズプラスファンクションとして解釈されるべきではない。
【符号の説明】
【０１２１】
100  アクセスネットワーク
102、102'  基地局、スモールセル、マクロ基地局
104  UE
110、110'  地理的カバレージエリア
120  通信リンク
132、134  バックホールリンク
150  Wi-Fiアクセスポイント(AP)
152  Wi-Fi局(STA)
154  通信リンク
160  発展型パケットコア(EPC)
162、164  モビリティ管理エンティティ(MME)
166  サービングゲートウェイ
168  マルチメディアブロードキャストマルチキャストサービス(MBMS)ゲートウェイ
170  ブロードキャストマルチキャストサービスセンタ(BM-SC)
172  パケットデータネットワーク(PDN)ゲートウェイ
174  ホーム加入者サーバ(HSS)
176  IPサービス
180  ミリメートル波(mmW)基地局
182  UE
184  ビームフォーミング
200、230、250、280  図
310  eNB
316  送信(TX)プロセッサ
318RX  レシーバ
318TX  トランスミッタ
320  アンテナ
350  UE
352  アンテナ
354RX  レシーバ
354TX  トランスミッタ
356  受信(RX)プロセッサ
358  チャネル推定器
359  コントローラ/プロセッサ
360  メモリ
368  TXプロセッサ
370  受信(RX)プロセッサ
374  チャネル推定器
375  コントローラ/プロセッサ
376  メモリ
400、500、550、600、700  図
502  基地局
702  UE
704  基地局
800、850  図
812  第1のサブキャリア
814  第2のサブキャリア
816  ガードサブキャリア
862  第1のサブキャリア
864  第2のサブキャリア
866  ガードサブキャリア
900、950  図
912  第1のサブキャリア
914  第2のサブキャリア
962  第1のサブキャリア
964  第2のサブキャリア
1000、1050  図
1012  PBCH信号
1014  PSS
1016  SSS
1018  PBCH信号の繰り返し
1062  PBCH信号
1064  SSS
1066  PSS
1068  PBCH信号の繰り返し
1100、1130  図
1112  第1の同期チャネル
1114  第2の同期チャネル
1132  処理済みの同期信号
1134  第1の期間
1136  第2の期間
1138  第3の期間
1140  第4の期間
1160  図
1162  処理済みの同期信号
1164  第1の期間
1166  第2の期間
1168  第3の期間
1170  第4の期間
1200  フローチャート
1300  フローチャート
1400  概念データフロー図
1402、1402'  装置
1404  受信構成要素
1406  送信構成要素
1408  パラメータ管理構成要素
1410  リソース管理構成要素
1412  通信管理構成要素
1414  制御チャネル管理構成要素
1430  UE
1500  図
1504  プロセッサ
1506  コンピュータ可読媒体/メモリ
1510  トランシーバ
1514  処理システム
1520  アンテナ
1524  バス
1600、1700  フローチャート
1800  概念データフロー図
1802、1802'  装置
1804  受信構成要素
1806  送信構成要素
1808  信号検出構成要素
1810  同期リソース判定構成要素
1812  パラメータ判定構成要素
1814  通信管理構成要素
1850  基地局
1860  通信管理構成要素
1900  図
1904  プロセッサ
1906  コンピュータ可読媒体/メモリ
1910  トランシーバ
1914  処理システム
1920  アンテナ
1924  バス
【図１】
2019517746.tif 000003
【図２Ａ】
2019517746.tif 000004
【図２Ｂ】
2019517746.tif 000005
【図２Ｃ】
2019517746.tif 000006
【図２Ｄ】
2019517746.tif 000007
【図３】
2019517746.tif 000008
【図４】
2019517746.tif 000009
【図５Ａ】
2019517746.tif 000010
【図５Ｂ】
2019517746.tif 000011
【図６】
2019517746.tif 000012
【図７】
2019517746.tif 000013
【図８Ａ】
2019517746.tif 000014
【図８Ｂ】
2019517746.tif 000015
【図９Ａ】
2019517746.tif 000016
【図９Ｂ】
2019517746.tif 000017
【図１０Ａ】
2019517746.tif 000018
【図１０Ｂ】
2019517746.tif 000019
【図１１Ａ】
2019517746.tif 000020
【図１１Ｂ】
2019517746.tif 000021
【図１１Ｃ】
2019517746.tif 000022
【図１２】
2019517746.tif 000023
【図１３】
2019517746.tif 000024
【図１４】
2019517746.tif 000025
【図１５】
2019517746.tif 000026
【図１６】
2019517746.tif 000027
【図１７】
2019517746.tif 000028
【図１８】
2019517746.tif 000029
【図１９】
2019517746.tif 000030
【国際調査報告】
2019517746.tif 000031
2019517746.tif 000032
2019517746.tif 000033
2019517746.tif 000034
2019517746.tif 000035